(57)【要約】  高精細度化された大画面のプラズマディスプレイパネルを駆動する際にも、安定した書込み動作を行う。そのために、発光サブフィールドと非発光サブフィールドとの組合せが異なる複数の組合せの中から階調の表示に用いる表示用組合せを複数選択して表示用組合せ集合とし、その中から１つの表示用組合せを選択して放電セルの発光・非発光を制御するプラズマディスプレイパネルの駆動方法において、以下のフィールドを発生する。そのフィールドは、表示用組合せ集合に含まれる表示用組合せにもとづき、維持期間における最後の維持パルスの発生後に、ベース電位から第１の所定電圧まで上昇する上り傾斜波形電圧を走査電極に印加するサブフィールドを有する。またそのフィールドは、維持期間における最後の維持パルスの発生後に、ベース電位から第２の所定電圧まで下降する下り傾斜波形電圧を走査電極に印加し、その後に上り傾斜波形電圧を走査電極に印加する特定サブフィールドを有する。
2012102031.tif 000002
【特許請求の範囲】
【請求項１】
走査電極および維持電極からなる表示電極対とデータ電極とを有する放電セルを複数備えたプラズマディスプレイパネルを、発光するべき放電セルに書込み放電を発生する書込み期間と、輝度重みに応じた数の維持パルスを発生して前記表示電極対に印加する維持期間とを有する複数のサブフィールドで１フィールドを構成し、発光するサブフィールドと非発光のサブフィールドとの組合せが異なる複数の組合せの中から階調の表示に用いる表示用組合せを複数選択して表示用組合せ集合を作成し、前記表示用組合せ集合に属する表示用組合せの中から画像信号にもとづき１つの表示用組合せを選択し、選択された前記表示用組合せを用いて放電セルの発光・非発光をサブフィールド毎に制御して駆動するプラズマディスプレイパネルの駆動方法であって、
前記表示用組合せ集合に含まれる前記表示用組合せにもとづき、
前記維持期間における最後の前記維持パルスの発生後に、ベース電位から第１の所定電圧まで上昇する上り傾斜波形電圧を前記走査電極に印加するサブフィールドと、
前記維持期間における最後の前記維持パルスの発生後に、ベース電位から第２の所定電圧まで下降する下り傾斜波形電圧を前記走査電極に印加し、その後に前記上り傾斜波形電圧を前記走査電極に印加する特定サブフィールドと、を有するフィールドを発生する
ことを特徴とするプラズマディスプレイパネルの駆動方法。
【請求項２】
１フィールドに、時間的に先に発光するサブフィールドと、時間的に後に発光するサブフィールドとの間に、連続した２つ以上の非発光のサブフィールドが発生しない第１の表示用組合せ集合と、
１フィールドに、時間的に先に発光するサブフィールドと、時間的に後に発光するサブフィールドとの間に、連続した２つ以上の非発光のサブフィールドが発生する第２の表示用組合せ集合とを有し、
前記第１の表示用組合せ集合を用いて前記プラズマディスプレイパネルに画像を表示するときには、前記特定サブフィールドを発生せず、
前記第２の表示用組合せ集合を用いて前記プラズマディスプレイパネルに画像を表示するときには、前記特定サブフィールドを発生する
ことを特徴とする請求項１に記載のプラズマディスプレイパネルの駆動方法。
【請求項３】
前記第２の表示用組合せ集合における前記連続した２つ以上の非発光のサブフィールドのうちの時間的に先に発生するサブフィールドが前記特定サブフィールドである
ことを特徴とする請求項２に記載のプラズマディスプレイパネルの駆動方法。
【請求項４】
走査電極および維持電極からなる表示電極対とデータ電極とを有する放電セルを複数備えたプラズマディスプレイパネルを、初期化期間と、発光するべき放電セルに書込み放電を発生する書込み期間と、輝度重みに応じた数の維持パルスを発生して前記表示電極対に印加する維持期間とを有する複数のサブフィールドで１フィールドを構成し、発光するサブフィールドと非発光のサブフィールドとの組合せが異なる複数の組合せの中から階調の表示に用いる表示用組合せを複数選択して表示用組合せ集合を作成し、前記表示用組合せ集合に属する表示用組合せの中から画像信号にもとづき１つの表示用組合せを選択し、選択された前記表示用組合せを用いて放電セルの発光・非発光をサブフィールド毎に制御して駆動するプラズマディスプレイパネルの駆動方法であって、
前記初期化期間において、前記放電セルに放電が発生する電圧まで上昇する上り傾斜波形電圧と、負の電圧に向かって下降する第１の下り傾斜波形電圧とを印加する走査電極と、前記放電セルに放電が発生しない電圧と前記第１の下り傾斜波形電圧とを印加する走査電極とが存在する第１種サブフィールドと、前記初期化期間において、直前のサブフィールドで書込み放電を発生した放電セルだけに放電が発生する電圧まで下降する第２の下り傾斜波形電圧を前記走査電極に印加する第２種サブフィールドとを１フィールド内に設け、
前記第１種サブフィールドの初期化期間において前記走査電極に前記第１の下り傾斜波形電圧を印加する期間は前記データ電極に第１の電圧を印加し、前記第２種サブフィールドの初期化期間において前記走査電極に前記第２の下り傾斜波形電圧を印加する期間は前記データ電極に前記第１の電圧よりも高い第２の電圧を印加し、
前記表示用組合せ集合に含まれる前記表示用組合せにもとづき、
前記維持期間における最後の前記維持パルスの発生後に、ベース電位から第１の所定電圧まで上昇する上り傾斜波形電圧を前記走査電極に印加するサブフィールドと、
前記維持期間における最後の前記維持パルスの発生後に、ベース電位から第２の所定電圧まで下降する第３の下り傾斜波形電圧を前記走査電極に印加し、その後に前記上り傾斜波形電圧を前記走査電極に印加する特定サブフィールドと、を有するフィールドを発生する
ことを特徴とするプラズマディスプレイパネルの駆動方法。
【請求項５】
１フィールドに、時間的に先に発光するサブフィールドと、時間的に後に発光するサブフィールドとの間に、連続した２つ以上の非発光のサブフィールドが発生しない第１の表示用組合せ集合と、
１フィールドに、時間的に先に発光するサブフィールドと、時間的に後に発光するサブフィールドとの間に、連続した２つ以上の非発光のサブフィールドが発生する第２の表示用組合せ集合とを有し、
前記第１の表示用組合せ集合を用いて前記プラズマディスプレイパネルに画像を表示するときには、前記特定サブフィールドを発生せず、
前記第２の表示用組合せ集合を用いて前記プラズマディスプレイパネルに画像を表示するときには、前記特定サブフィールドを発生する
ことを特徴とする請求項４に記載のプラズマディスプレイパネルの駆動方法。
【請求項６】
前記第２の表示用組合せ集合における前記連続した２つ以上の非発光のサブフィールドのうちの時間的に先に発生するサブフィールドが前記特定サブフィールドである
ことを特徴とする請求項５に記載のプラズマディスプレイパネルの駆動方法。
【請求項７】
前記第２の下り傾斜波形電圧の最低電圧を、前記第１の下り傾斜波形電圧の最低電圧よりも高い電圧にして、前記第２の下り傾斜波形電圧を発生する
ことを特徴とする請求項４に記載のプラズマディスプレイパネルの駆動方法。
【請求項８】
前記第１の下り傾斜波形電圧を前記走査電極に印加する期間は前記維持電極に正の電圧を印加し、前記第２の下り傾斜波形電圧を前記走査電極に印加する期間は前記正の電圧よりも高い電圧を前記維持電極に印加する
ことを特徴とする請求項４に記載のプラズマディスプレイパネルの駆動方法。
【請求項９】
走査電極および維持電極からなる表示電極対とデータ電極とを有する放電セルを複数備えたプラズマディスプレイパネルと、
発光するべき放電セルに書込み放電を発生する書込み期間と、輝度重みに応じた数の維持パルスを発生して前記表示電極対に印加する維持期間とを有する複数のサブフィールドで１フィールドを構成して前記プラズマディスプレイパネルを駆動する駆動回路とを備えたプラズマディスプレイ装置であって、
前記駆動回路は、
発光するサブフィールドと非発光のサブフィールドとの組合せが異なる複数の組合せの中から階調の表示に用いる表示用組合せを複数選択して表示用組合せ集合を作成し、前記表示用組合せ集合に属する表示用組合せの中から画像信号にもとづき１つの表示用組合せを選択し、選択された前記表示用組合せを用いて放電セルの発光・非発光をサブフィールド毎に制御し、
前記表示用組合せ集合に含まれる前記表示用組合せにもとづき、
維持期間における最後の前記維持パルスの発生後に、ベース電位から第１の所定電圧まで上昇する上り傾斜波形電圧を前記走査電極に印加するサブフィールドと、
維持期間における最後の前記維持パルスの発生後に、ベース電位から第２の所定電圧まで下降する下り傾斜波形電圧を前記走査電極に印加し、その後に前記上り傾斜波形電圧を前記走査電極に印加する特定サブフィールドと、を有するフィールドを発生して前記プラズマディスプレイパネルを駆動する
ことを特徴とするプラズマディスプレイ装置。
【請求項１０】
前記駆動回路は、
１フィールドに、時間的に先に発光するサブフィールドと、時間的に後に発光するサブフィールドとの間に、連続した２つ以上の非発光のサブフィールドが発生しない第１の表示用組合せ集合と、
１フィールドに、時間的に先に発光するサブフィールドと、時間的に後に発光するサブフィールドとの間に、連続した２つ以上の非発光のサブフィールドが発生する第２の表示用組合せ集合とを有し、
前記第１の表示用組合せ集合を用いて前記プラズマディスプレイパネルに画像を表示するときには、前記特定サブフィールドを発生せず、
前記第２の表示用組合せ集合を用いて前記プラズマディスプレイパネルに画像を表示するときには、前記特定サブフィールドを発生する
ことを特徴とする請求項９に記載のプラズマディスプレイ装置。
【請求項１１】
走査電極および維持電極からなる表示電極対とデータ電極とを有する放電セルを複数備えたプラズマディスプレイパネルと、
初期化期間と、発光するべき放電セルに書込み放電を発生する書込み期間と、輝度重みに応じた数の維持パルスを発生して前記表示電極対に印加する維持期間とを有する複数のサブフィールドで１フィールドを構成して前記プラズマディスプレイパネルを駆動する駆動回路とを備えたプラズマディスプレイ装置であって、
前記駆動回路は、
発光するサブフィールドと非発光のサブフィールドとの組合せが異なる複数の組合せの中から階調の表示に用いる表示用組合せを複数選択して表示用組合せ集合を作成し、前記表示用組合せ集合に属する表示用組合せの中から画像信号にもとづき１つの表示用組合せを選択し、選択された前記表示用組合せを用いて放電セルの発光・非発光をサブフィールド毎に制御し、
前記初期化期間において、前記放電セルに放電が発生する電圧まで上昇する上り傾斜波形電圧と、負の電圧に向かって下降する第１の下り傾斜波形電圧とを印加する走査電極と、前記放電セルに放電が発生しない電圧と前記第１の下り傾斜波形電圧とを印加する走査電極とが存在する第１種サブフィールドと、前記初期化期間において、直前のサブフィールドで書込み放電を発生した放電セルだけに放電が発生する電圧まで下降する第２の下り傾斜波形電圧を前記走査電極に印加する第２種サブフィールドとを１フィールド内に設けて前記プラズマディスプレイパネルを駆動し、
前記第１種サブフィールドの初期化期間において前記走査電極に前記第１の下り傾斜波形電圧を印加する期間は前記データ電極に第１の電圧を印加し、前記第２種サブフィールドの初期化期間において前記走査電極に前記第２の下り傾斜波形電圧を印加する期間は前記データ電極に前記第１の電圧よりも高い第２の電圧を印加し、
前記表示用組合せ集合に含まれる前記表示用組合せにもとづき、
前記維持期間における最後の前記維持パルスの発生後に、ベース電位から第１の所定電圧まで上昇する上り傾斜波形電圧を前記走査電極に印加するサブフィールドと、
前記維持期間における最後の前記維持パルスの発生後に、ベース電位から第２の所定電圧まで下降する第３の下り傾斜波形電圧を前記走査電極に印加し、その後に前記上り傾斜波形電圧を前記走査電極に印加する特定サブフィールドと、を有するフィールドを発生して前記プラズマディスプレイパネルを駆動する
ことを特徴とするプラズマディスプレイ装置。
【発明の詳細な説明】
【技術分野】
【０００１】
本発明は、交流面放電型のプラズマディスプレイパネルを用いたプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。【０００３】
前面基板は、１対の走査電極と維持電極とからなる表示電極対が前面側のガラス基板上に互いに平行に複数対形成されている。そして、それら表示電極対を覆うように誘電体層および保護層が形成されている。【０００４】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００５】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００６】
放電セルにおける発光と非発光との２値制御を組み合わせてパネルの画像表示領域に画像を表示する方法としては一般にサブフィールド法が用いられている。【０００７】
サブフィールド法では、１フィールドを、発光輝度が互いに異なる複数のサブフィールドに分割する。そして、各放電セルでは、所望の階調値に応じた組合せで各サブフィールドの発光・非発光を制御する。これにより１フィールドの発光輝度を所望の階調値にして各放電セルを発光し、パネルの画像表示領域に、様々な階調値の組合せで構成された画像を表示する。【０００８】
サブフィールド法において、各サブフィールドは、初期化期間、書込み期間および維持期間を有する。【０００９】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【００１０】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【００１１】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各サブフィールドにおいて、各放電セルを、輝度重みに応じた輝度で発光させる。このようにして、パネルの各放電セルを画像信号の階調値に応じた輝度で発光させて、パネルの画像表示領域に画像を表示する。【００１２】
維持期間において、表示電極対への維持パルスの印加が終了した後、上昇する傾斜電圧を維持電極に印加して微弱放電（消去放電）を発生する技術が開示されている（例えば、特許文献１参照）。消去放電を発生することにより、維持放電によって生じた放電セル内の壁電荷を消去し、表示電極対間の電位差を緩和して、続くサブフィールドの書込み期間における書込み放電を安定に発生することが可能となる。【００１３】
また、維持期間において表示電極対への維持パルスの印加が終了した後、所定の電圧まで上昇した後その電圧を一定期間維持する傾斜電圧を走査電極に印加し、その後、上昇する傾斜電圧を維持電極に印加して放電セル内の壁電荷を消去する技術が開示されている（例えば、特許文献２参照）。【００１４】
また、維持期間において表示電極対への維持パルスの印加が終了した後、上昇する傾斜電圧を走査電極に印加するとともにその傾斜を表示画像の平均輝度に応じて変更することで放電セル内の壁電荷を消去する技術が開示されている（例えば、特許文献３参照）。【００１５】
高精細度化された大画面のパネルでは、駆動しなければならない電極の数が増加し、また、駆動時のインピーダンスも増加するため、書込み動作が不安定になりやすい傾向にある。そのため、そのようなパネルを備えたプラズマディスプレイ装置においても、安定に書込み放電を発生し、画像をパネルに安定して表示することが求められている。
【先行技術文献】
【特許文献】
【００１６】
【特許文献１】特開２００４−３４８１４０号公報
【特許文献２】特開２００５−１４１２２４号公報
【特許文献３】特開２００３−５７００号公報
【発明の概要】
【００１７】
本発明は、走査電極および維持電極からなる表示電極対とデータ電極とを有する放電セルを複数備えたパネルを、発光するべき放電セルに書込み放電を発生する書込み期間と、輝度重みに応じた数の維持パルスを発生して表示電極対に印加する維持期間とを有する複数のサブフィールドで１フィールドを構成し、発光するサブフィールドと非発光のサブフィールドとの組合せが異なる複数の組合せの中から階調の表示に用いる表示用組合せを複数選択して表示用組合せ集合を作成し、表示用組合せ集合に属する表示用組合せの中から画像信号にもとづき１つの表示用組合せを選択し、選択された表示用組合せを用いて放電セルの発光・非発光をサブフィールド毎に制御して駆動するパネルの駆動方法である。この駆動方法では、表示用組合せ集合に含まれる表示用組合せにもとづき、以下のフィールドを発生する。そのフィールドは、維持期間における最後の維持パルスの発生後に、ベース電位から第１の所定電圧まで上昇する上り傾斜波形電圧を走査電極に印加するサブフィールドを有する。また、そのフィールドは、維持期間における最後の維持パルスの発生後に、ベース電位から第２の所定電圧まで下降する下り傾斜波形電圧を走査電極に印加し、その後に上り傾斜波形電圧を走査電極に印加する特定サブフィールドを有する。
【００１８】
この方法により、高精細度化された大画面のパネルを駆動する際にも安定した書込み動作を行い、品質の高い画像をパネルに表示することが可能となる。
【００１９】
また、本発明のパネルの駆動方法においては、第１の表示用組合せ集合と、第２の表示用組合せ集合とを有する。第１の表示用組合せ集合では、１フィールドにおいて、時間的に先に発光するサブフィールドと時間的に後に発光するサブフィールドとの間に、連続した２つ以上の非発光のサブフィールドが発生しない。第２の表示用組合せ集合では、１フィールドにおいて、時間的に先に発光するサブフィールドと時間的に後に発光するサブフィールドとの間に、連続した２つ以上の非発光のサブフィールドが発生する。そして、第１の表示用組合せ集合を用いてパネルに画像を表示するときには特定サブフィールドを発生せず、第２の表示用組合せ集合を用いてパネルに画像を表示するときには特定サブフィールドを発生する。
【００２０】
また、本発明のパネルの駆動方法においては、第２の表示用組合せ集合における連続した２つ以上の非発光のサブフィールドのうちの時間的に先に発生するサブフィールドが特定サブフィールドであってもよい。
【００２１】
また、本発明は、走査電極および維持電極からなる表示電極対とデータ電極とを有する放電セルを複数備えたパネルを、初期化期間と、発光するべき放電セルに書込み放電を発生する書込み期間と、輝度重みに応じた数の維持パルスを発生して表示電極対に印加する維持期間とを有する複数のサブフィールドで１フィールドを構成し、発光するサブフィールドと非発光のサブフィールドとの組合せが異なる複数の組合せの中から階調の表示に用いる表示用組合せを複数選択して表示用組合せ集合を作成し、表示用組合せ集合に属する表示用組合せの中から画像信号にもとづき１つの表示用組合せを選択し、選択された表示用組合せを用いて放電セルの発光・非発光をサブフィールド毎に制御して駆動するパネルの駆動方法である。この駆動方法では、第１種サブフィールドと、第２種サブフィールドとを１フィールド内に設ける。第１種サブフィールドでは、初期化期間において、放電セルに放電が発生する電圧まで上昇する上り傾斜波形電圧と、負の電圧に向かって下降する第１の下り傾斜波形電圧とを印加する走査電極と、放電セルに放電が発生しない電圧と第１の下り傾斜波形電圧とを印加する走査電極とが存在する。第２種サブフィールドでは、初期化期間において、直前のサブフィールドで書込み放電を発生した放電セルだけに放電が発生する電圧まで下降する第２の下り傾斜波形電圧を走査電極に印加する。そして、第１種サブフィールドの初期化期間において走査電極に第１の下り傾斜波形電圧を印加する期間は、データ電極に第１の電圧を印加する。また、第２種サブフィールドの初期化期間において走査電極に第２の下り傾斜波形電圧を印加する期間は、データ電極に第１の電圧よりも高い第２の電圧を印加する。そして、表示用組合せ集合に含まれる表示用組合せにもとづき、以下のフィールドを発生する。そのフィールドは、維持期間における最後の維持パルスの発生後に、ベース電位から第１の所定電圧まで上昇する上り傾斜波形電圧を走査電極に印加するサブフィールドを有する。また、そのフィールドは、維持期間における最後の維持パルスの発生後に、ベース電位から第２の所定電圧まで下降する第３の下り傾斜波形電圧を走査電極に印加し、その後に上り傾斜波形電圧を走査電極に印加する特定サブフィールドを有する。
【００２２】
この方法により、高精細度化された大画面のパネルを駆動する際にも安定した書込み動作を行い、品質の高い画像をパネルに表示することが可能となる。また、黒の輝度を低減し、コントラストの高い画像をパネルに表示することが可能となる。
【００２３】
また、本発明のパネルの駆動方法においては、第１の表示用組合せ集合と、第２の表示用組合せ集合とを有する。第１の表示用組合せ集合では、１フィールドにおいて、時間的に先に発光するサブフィールドと時間的に後に発光するサブフィールドとの間に、連続した２つ以上の非発光のサブフィールドが発生しない。第２の表示用組合せ集合では、１フィールドにおいて、時間的に先に発光するサブフィールドと時間的に後に発光するサブフィールドとの間に、連続した２つ以上の非発光のサブフィールドが発生する。そして、第１の表示用組合せ集合を用いてパネルに画像を表示するときには特定サブフィールドを発生せず、第２の表示用組合せ集合を用いてパネルに画像を表示するときには特定サブフィールドを発生する。
【００２４】
また、本発明のパネルの駆動方法においては、第２の表示用組合せ集合における連続した２つ以上の非発光のサブフィールドのうちの時間的に先に発生するサブフィールドが特定サブフィールドであってもよい。
【００２５】
また、本発明のパネルの駆動方法においては、第２の下り傾斜波形電圧の最低電圧を、第１の下り傾斜波形電圧の最低電圧よりも高い電圧にして、第２の下り傾斜波形電圧を発生してもよい。
【００２６】
また、本発明のパネルの駆動方法においては、第１の下り傾斜波形電圧を走査電極に印加する期間は維持電極に正の電圧を印加し、第２の下り傾斜波形電圧を走査電極に印加する期間は上記の正の電圧よりも高い電圧を維持電極に印加してもよい。
【００２７】
また本発明は、走査電極および維持電極からなる表示電極対とデータ電極とを有する放電セルを複数備えたパネルと、発光するべき放電セルに書込み放電を発生する書込み期間と、輝度重みに応じた数の維持パルスを発生して表示電極対に印加する維持期間とを有する複数のサブフィールドで１フィールドを構成してパネルを駆動する駆動回路とを備えたプラズマディスプレイ装置である。このプラズマディスプレイ装置において、駆動回路は、発光するサブフィールドと非発光のサブフィールドとの組合せが異なる複数の組合せの中から階調の表示に用いる表示用組合せを複数選択して表示用組合せ集合を作成する。そして、表示用組合せ集合に属する表示用組合せの中から画像信号にもとづき１つの表示用組合せを選択する。そして、選択された表示用組合せを用いて放電セルの発光・非発光をサブフィールド毎に制御する。そして、表示用組合せ集合に含まれる表示用組合せにもとづき、以下のフィールドを発生してパネルを駆動する。そのフィールドは、維持期間における最後の維持パルスの発生後に、ベース電位から第１の所定電圧まで上昇する上り傾斜波形電圧を走査電極に印加するサブフィールドを有する。また、そのフィールドは、維持期間における最後の維持パルスの発生後に、ベース電位から第２の所定電圧まで下降する下り傾斜波形電圧を走査電極に印加し、その後に上り傾斜波形電圧を走査電極に印加する特定サブフィールドを有する。
【００２８】
これにより、高精細度化された大画面のパネルを駆動する際にも安定した書込み動作を行い、品質の高い画像をパネルに表示することが可能となる。
【００２９】
また、本発明のプラズマディスプレイ装置において、駆動回路は、第１の表示用組合せ集合と、第２の表示用組合せ集合とを有する。そして、駆動回路は、第１の表示用組合せ集合を用いてパネルに画像を表示するときには特定サブフィールドを発生せず、第２の表示用組合せ集合を用いてパネルに画像を表示するときには特定サブフィールドを発生する。第１の表示用組合せ集合は、１フィールドにおいて、時間的に先に発光するサブフィールドと時間的に後に発光するサブフィールドとの間に、連続した２つ以上の非発光のサブフィールドが発生しない。第２の表示用組合せ集合は、１フィールドにおいて、時間的に先に発光するサブフィールドと時間的に後に発光するサブフィールドとの間に、連続した２つ以上の非発光のサブフィールドが発生する。
【００３０】
また、本発明は、走査電極および維持電極からなる表示電極対とデータ電極とを有する放電セルを複数備えたパネルと、初期化期間と、発光するべき放電セルに書込み放電を発生する書込み期間と、輝度重みに応じた数の維持パルスを発生して表示電極対に印加する維持期間とを有する複数のサブフィールドで１フィールドを構成してパネルを駆動する駆動回路とを備えたプラズマディスプレイ装置である。このプラズマディスプレイ装置において、駆動回路は、発光するサブフィールドと非発光のサブフィールドとの組合せが異なる複数の組合せの中から階調の表示に用いる表示用組合せを複数選択して表示用組合せ集合を作成する。そして、表示用組合せ集合に属する表示用組合せの中から画像信号にもとづき１つの表示用組合せを選択する。そして、選択された表示用組合せを用いて放電セルの発光・非発光をサブフィールド毎に制御する。そして、第１種サブフィールドと第２種サブフィールドとを１フィールド内に設けてパネルを駆動する。第１種サブフィールドでは、初期化期間において、放電セルに放電が発生する電圧まで上昇する上り傾斜波形電圧と、負の電圧に向かって下降する第１の下り傾斜波形電圧とを印加する走査電極と、放電セルに放電が発生しない電圧と第１の下り傾斜波形電圧とを印加する走査電極とが存在する。第２種サブフィールドでは、初期化期間において、直前のサブフィールドで書込み放電を発生した放電セルだけに放電が発生する電圧まで下降する第２の下り傾斜波形電圧を走査電極に印加する。そして、第１種サブフィールドの初期化期間においては、走査電極に第１の下り傾斜波形電圧を印加する期間はデータ電極に第１の電圧を印加する。第２種サブフィールドの初期化期間においては、走査電極に第２の下り傾斜波形電圧を印加する期間はデータ電極に第１の電圧よりも高い第２の電圧を印加する。そして、表示用組合せ集合に含まれる表示用組合せにもとづき、以下のフィールドを発生してパネルを駆動する。そのフィールドは、維持期間における最後の維持パルスの発生後に、ベース電位から第１の所定電圧まで上昇する上り傾斜波形電圧を走査電極に印加するサブフィールドを有する。また、そのフィールドは、維持期間における最後の維持パルスの発生後に、ベース電位から第２の所定電圧まで下降する第３の下り傾斜波形電圧を走査電極に印加し、その後に上り傾斜波形電圧を走査電極に印加する特定サブフィールドを有する。
【００３１】
これにより、高精細度化された大画面のパネルを駆動する際にも安定した書込み動作を行い、品質の高い画像をパネルに表示することが可能となる。また、黒の輝度を低減し、コントラストの高い画像をパネルに表示することが可能となる。
【図面の簡単な説明】
【００３２】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置に用いる第１のコーディングテーブルの一例を示す図である。
【図４】図４は、本発明の実施の形態１におけるプラズマディスプレイ装置に用いる第２のコーディングテーブルの一例を示す図である。
【図５】図５は、本発明の実施の形態１におけるプラズマディスプレイ装置に用いるパネルの各電極に印加する第１の駆動電圧波形を示す図である。
【図６】図６は、本発明の実施の形態１におけるプラズマディスプレイ装置に用いるパネルの各電極に印加する第２の駆動電圧波形を示す図である。
【図７】図７は、本発明の実施の形態１における電圧Ｖｒと電圧Ｖｓとの電圧差と電圧Ｖｉ４と電圧Ｖａとの電圧差との関係を示す図である。
【図８】図８は、本発明の実施の形態１におけるプラズマディスプレイ装置の回路ブロック図である。
【図９】図９は、本発明の実施の形態１におけるプラズマディスプレイ装置の走査電極駆動回路の構成を概略的に示す回路図である。
【図１０】図１０は、本発明の実施の形態１におけるプラズマディスプレイ装置の維持電極駆動回路の構成を概略的に示す回路図である。
【図１１】図１１は、本発明の実施の形態１におけるプラズマディスプレイ装置のデータ電極駆動回路の構成を概略的に示す回路図である。
【図１２】図１２は、本発明の実施の形態２におけるプラズマディスプレイ装置に用いるパネルの各電極に印加する第１の駆動電圧波形を示す図である。
【図１３】図１３は、本発明の実施の形態２におけるプラズマディスプレイ装置に用いるパネルの各電極に印加する第２の駆動電圧波形を示す図である。
【図１４】図１４は、本発明の実施の形態２において強制初期化波形を印加する走査電極とフィールドとの関係を概略的に示す図である。
【図１５】図１５は、本発明の実施の形態２におけるプラズマディスプレイ装置の駆動回路の動作を説明するためのタイミングチャートである。
【図１６】図１６は、本発明の実施の形態３におけるプラズマディスプレイ装置に用いるパネルの各電極に印加する第１の駆動電圧波形の一例を示す図である。
【図１７】図１７は、本発明の実施の形態３におけるプラズマディスプレイ装置に用いるパネルの各電極に印加する第２の駆動電圧波形の一例を示す図である。
【図１８】図１８は、本発明の実施の形態３におけるプラズマディスプレイ装置に用いるパネルの各電極に印加する第１の駆動電圧波形の他の一例を示す図である。
【図１９】図１９は、本発明の実施の形態３におけるプラズマディスプレイ装置に用いるパネルの各電極に印加する第２の駆動電圧波形の他の一例を示す図である。
【図２０】図２０は、本発明の実施の形態３における１フィールドの最終サブフィールドの維持期間で消去動作をするために発生する上り傾斜波形電圧の波形形状の他の例を示す図である。
【図２１】図２１は、本発明の実施の形態における走査電極に印加する下り傾斜波形電圧の波形形状の他の例を示す波形図である。
【図２２】図２２は、本発明の実施の形態における第２のコーディングテーブルの他の例を示す図である。
【発明を実施するための形態】
【００３３】
以下、本発明の実施の形態におけるプラズマディスプレイ装置について、図面を用いて説明する。
【００３４】
（実施の形態１）
図１は、本発明の実施の形態１におけるプラズマディスプレイ装置に用いるパネル１０の構造を示す分解斜視図である。
【００３５】
ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００３６】
保護層２６は、放電セルにおける放電を発生しやすくするために、電子放出性能の高い材料である酸化マグネシウム（ＭｇＯ）を主成分とする材料で形成されている。
【００３７】
保護層２６は、一つの層で構成されていてもよく、あるいは複数の層で構成されていてもよい。また、層の上に粒子が存在する構成であってもよい。
【００３８】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００３９】
これら前面基板２１と背面基板３１とを、微小な放電空間を挟んで表示電極対２４とデータ電極３２とが交差するように対向配置し、前面基板２１と背面基板３１との間隙に放電空間を設ける。そして、その外周部をガラスフリット等の封着材によって封着する。そして、その内部の放電空間には、例えばネオン（Ｎｅ）とキセノン（Ｘｅ）の混合ガスを放電ガスとして封入する。
【００４０】
放電空間は隔壁３４によって複数の区画に仕切られており、表示電極対２４とデータ電極３２とが交差する部分に、画素を構成する放電セルが形成される。そして、これらの放電セルを放電、発光（点灯）することにより、パネル１０にカラーの画像が表示される。
【００４１】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルとの３つの放電セルで１つの画素が構成される。
【００４２】
なお、パネル１０の構造は上述したものに限られるわけではなく、例えばストライプ状の隔壁を備えたものであってもよい。また、放電ガスの混合比率は、例えばキセノン分圧を１０％にしてもよいが、放電セルにおける発光効率を向上するためにキセノン分圧をさらに上げてもよく、その他の混合比率であってもよい。
【００４３】
図２は、本発明の実施の形態１におけるプラズマディスプレイ装置に用いるパネル１０の電極配列図である。
【００４４】
パネル１０には、水平方向（行方向、ライン方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。
【００４５】
そして、１対の走査電極ＳＣｉ（ｉ＝１〜ｎ）および維持電極ＳＵｉと１つのデータ電極Ｄｊ（ｊ＝１〜ｍ）とが交差した領域に放電セルが１つ形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。なお、本実施の形態においては、ｎ＝１０８０とするが、本発明は何らこの数値に限定されるものではない。
【００４６】
次に、本実施の形態におけるプラズマディスプレイ装置のパネル１０の駆動方法について説明する。なお、本実施の形態におけるプラズマディスプレイ装置は、サブフィールド法によって階調表示を行う。サブフィールド法では、１フィールドを時間軸上で複数のサブフィールドに分割し、各サブフィールドに輝度重みをそれぞれ設定する。それぞれのサブフィールドは初期化期間、書込み期間および維持期間を有する。そして、サブフィールド毎に各放電セルの発光・非発光を制御することによってパネル１０に画像を表示する。
【００４７】
輝度重みとは、各サブフィールドで表示する輝度の大きさの比を表すものであり、各サブフィールドでは輝度重みに応じた数の維持パルスを維持期間に発生する。したがって、例えば、輝度重み「８」のサブフィールドは、輝度重み「１」のサブフィールドの約８倍の輝度で発光し、輝度重み「２」のサブフィールドの約４倍の輝度で発光する。したがって、画像信号に応じた組合せで各サブフィールドを選択的に発光させることによって様々な階調を表示し、画像を表示することができる。
【００４８】
本実施の形態では、１フィールドを５のサブフィールド（サブフィールドＳＦ１、サブフィールドＳＦ２、・・・、サブフィールドＳＦ５）に分割し、時間的に後のサブフィールドほど輝度重みが大きくなるように、サブフィールドＳＦ１からサブフィールドＳＦ５の各サブフィールドは、それぞれ（１、２、４、８、１６）の輝度重みを有する例を説明する。
【００４９】
初期化期間では初期化放電を発生し、続く書込み放電に必要な壁電荷を各電極上に形成する初期化動作を行う。このときの初期化動作には、全ての放電セルに初期化放電を発生する全セル初期化動作と、直前のサブフィールドの維持期間で維持放電を発生した放電セルに対して選択的に初期化放電を発生する選択初期化動作とがある。
【００５０】
書込み期間では、発光するべき放電セルで選択的に書込み放電を発生し、維持放電に必要な壁電荷を形成する書込み動作を行う。
【００５１】
そして、維持期間では、維持パルスを表示電極対２４に交互に印加し、書込み放電を発生した放電セルで維持放電を発生してその放電セルを発光する維持動作を行う。
【００５２】
なお、本実施の形態では、複数のサブフィールドのうち、１つのサブフィールドの初期化期間においては全セル初期化動作を行い、他のサブフィールドの初期化期間においては選択初期化動作を行う。以下、全セル初期化動作を行うサブフィールドを「全セル初期化サブフィールド」と呼称し、選択初期化動作を行うサブフィールドを「選択初期化サブフィールド」と呼称する。
【００５３】
本実施の形態では、サブフィールドＳＦ１の初期化期間では全セル初期化動作を行い、サブフィールドＳＦ２からサブフィールドＳＦ５の初期化期間では選択初期化動作を行う例を説明する。これにより、画像の表示に関係のない発光はサブフィールドＳＦ１における全セル初期化動作の放電にともなう発光のみとなる。したがって、維持放電を発生しない黒表示領域の輝度である黒輝度は全セル初期化動作における微弱発光だけとなり、パネル１０にコントラストの高い画像を表示することが可能となる。
【００５４】
また、各サブフィールドの維持期間においては、それぞれのサブフィールドの輝度重みに所定の比例定数を乗じた数の維持パルスを表示電極対２４のそれぞれに印加する。この比例定数が輝度倍率である。
【００５５】
したがって、例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００５６】
しかし、本実施の形態は、１フィールドを構成するサブフィールドの数や各サブフィールドの輝度重みが上記の値に限定されるものではない。また、画像信号等にもとづいてサブフィールド構成を切換える構成であってもよい。
【００５７】
次に、放電セルを階調の大きさに応じた輝度で発光する方法について説明する。なお、以下、放電セルを階調の大きさに応じた輝度で発光することを、「階調を表示する」とも記す。
【００５８】
本実施の形態においては、上述したように、１フィールドをあらかじめ輝度重みが設定された複数のサブフィールドで構成する。そして、発光するサブフィールドと非発光のサブフィールドとの組合せが異なる複数の組合せの中から、階調の表示に用いる表示用組合せを複数選択し、「表示用組合せ集合」を作成する。以下、発光するサブフィールドと非発光のサブフィールドとの組合せのことを「コーディング」と呼称する。また、階調の表示に用いる組合せ（表示用組合せ）のことを「表示用コーディング」と呼称する。また、表示用組合せ集合を「コーディングテーブル」と呼称する。
【００５９】
そして、コーディングテーブルの中から画像信号にもとづき１つの表示用コーディングを選択し、その表示用コーディングを用いて放電セルの発光・非発光をサブフィールド毎に制御して、パネル１０に階調を表示する。
【００６０】
次に、本実施の形態において用いるコーディングテーブルについて説明する。なお、以下では、説明を簡単にするために、黒を表示するときの輝度値を輝度値「０」と表記し、輝度重み「Ｎ」に対応する輝度値を輝度値「Ｎ」と表記する。例えば、輝度重み「１」のサブフィールドＳＦ１だけが発光する放電セルが表示する輝度値は輝度値「１」であり、輝度重み「１」のサブフィールドＳＦ１と輝度重み「２」のサブフィールドＳＦ２とを発光する放電セルが表示する輝度値は輝度値「３」である。
【００６１】
本実施の形態におけるプラズマディスプレイ装置は、表示用コーディングの数が異なる複数のコーディングテーブルを備えている。本実施の形態において、複数のコーディングテーブルは、表示用コーディングの数が多い方の第１のコーディングテーブル（第１の表示用組合せ集合）と、表示用コーディングの数が少ない方の第２のコーディングテーブル（第２の表示用組合せ集合）である。
【００６２】
図３は、本発明の実施の形態１におけるプラズマディスプレイ装置に用いる第１のコーディングテーブルの一例を示す図である。
【００６３】
図４は、本発明の実施の形態１におけるプラズマディスプレイ装置に用いる第２のコーディングテーブルの一例を示す図である。
【００６４】
図３、図４には、１フィールドを５つのサブフィールド（サブフィールドＳＦ１、サブフィールドＳＦ２、サブフィールドＳＦ３、サブフィールドＳＦ４、サブフィールドＳＦ５）で構成し、サブフィールドＳＦ１からサブフィールドＳＦ５の各サブフィールドがそれぞれ（１、２、４、８、１６）の輝度重みを有するときのコーディングテーブルを示す。
【００６５】
また、図３、図４では、各コーディングテーブルの左端の列に、放電セルに表示する輝度値の大きさを数値で表し、数値が記載されたそれぞれの行には、その輝度値を放電セルに表示する際の各サブフィールドの発光、非発光の組合せを示す。なお、図３、図４に示す各コーディングテーブルにおいて、空欄は非発光を、「○」は発光を表す。
【００６６】
例えば、第１のコーディングテーブルを用いて画像を表示する際、輝度値「３」を放電セルに表示するときには、輝度重み「１」のサブフィールドＳＦ１および輝度重み「２」のサブフィールドＳＦ２でその放電セルを発光する。輝度値「２３」を放電セルに表示するときには、輝度重み「１」のサブフィールドＳＦ１、輝度重み「２」のサブフィールドＳＦ２、輝度重み「４」のサブフィールドＳＦ３、および輝度重み「１６」のサブフィールドＳＦ５でその放電セルを発光する。
【００６７】
図３に示す第１のコーディングテーブルは、１２通りの輝度値を表示するコーディングテーブルである。すなわち、第１のコーディングテーブルは、表示用コーディングを１２有する。そして、第１のコーディングテーブルは、「輝度値「１」以上を表示する放電セルでは、サブフィールドＳＦ１が常に発光する」という規則を有する。また、「１フィールド内で、発光するサブフィールドのうち時間的に最も遅いサブフィールドとサブフィールドＳＦ１との間に、非発光のサブフィールドは１つ以下である」という規則を有する。この規則は、「１フィールド内で、発光するサブフィールドのうち時間的に最も遅いサブフィールドとサブフィールドＳＦ１との間に、非発光のサブフィールドは連続して発生しない」と言い換えることができる。
【００６８】
そして、本実施の形態では、図３に一例を示すように、１フィールドにおいて、時間的に先に発光するサブフィールドと、時間的に後に発光するサブフィールドとの間に、連続した２つ以上の非発光のサブフィールドが発生しないコーディングテーブルを第１のコーディングテーブル（第１の表示用組合せ集合）と呼ぶ。
【００６９】
図４に示す第２のコーディングテーブルは、８通りの輝度値を表示するコーディングテーブルである。すなわち、第２のコーディングテーブルは、表示用コーディングを８つ有する。そして、第２のコーディングテーブルは、第１のコーディングテーブルと同様に「輝度値「１」以上を表示する放電セルでは、サブフィールドＳＦ１が常に発光する」という規則を有する。また、第２のコーディングテーブルは、「サブフィールドＳＦ２が常に非発光である」という規則と、「１フィールド内で、発光するサブフィールドのうち時間的に最も遅いサブフィールドとサブフィールドＳＦ２との間に、非発光のサブフィールドは１つ以下である」という規則を有する。
【００７０】
この規則により、図４に示す第２のコーディングテーブルでは、図４に矢印で示すように、サブフィールドＳＦ２とサブフィールドＳＦ３とが連続して非点灯となる輝度値（輝度値「９」、輝度値「２５」）が発生する。言い換えると、第２のコーディングテーブルは、「１フィールド内で、発光するサブフィールドのうち時間的に最も遅いサブフィールドとサブフィールドＳＦ１との間に、非発光のサブフィールドが２つ連続して発生する表示用コーディング」を有するコーディングテーブルである。以下、「１フィールド内で、発光するサブフィールドのうち時間的に最も遅いサブフィールドとサブフィールドＳＦ１との間に、非発光のサブフィールドが２つ連続して発生する」ことを、単に「非発光のサブフィールドが２つ連続して発生する」と表記する。
【００７１】
このように、図３に示す第１のコーディングテーブルは、「非発光のサブフィールドが２つ以上連続して発生しない表示用コーディング」を有するコーディングテーブルであり、図４に示す第２のコーディングテーブルは、「非発光のサブフィールドが２つ連続して発生する表示用コーディング」を有するコーディングテーブルである。したがって、第２のコーディングテーブルを用いて画像を表示する際には、非発光のサブフィールドが２つ連続して発生する可能性がある。
【００７２】
そして、本実施の形態では、図４に一例を示すように、１フィールドに、時間的に先に発光するサブフィールドと、時間的に後に発光するサブフィールドとの間に、連続した２つ以上の非発光のサブフィールドが発生するコーディングテーブルを第２のコーディングテーブル（第２の表示用組合せ集合）と呼ぶ。
【００７３】
以下、コーディングテーブルを「テーブル」と略記し、第１のコーディングテーブルを「第１テーブル」と略記し、第２のコーディングテーブルを「第２テーブル」と略記する。
【００７４】
なお、図３に示した第１テーブルは、輝度値「２」、輝度値「４」、輝度値「６」、といった偶数の輝度値を表示するコーディングを備えていない。そのため、第１テーブルを用いて画像を表示する際には、偶数の輝度値を表示することができない。また、図４に示した第２テーブルは、輝度値「２」、輝度値「３」、輝度値「４」、輝度値「６」、輝度値「７」、輝度値「８」、といった輝度値を表示するコーディングを備えていない。そのため、第２テーブルを用いて画像を表示する際には、これらの輝度値を表示することができない。しかし、このような、テーブルに備えられていない輝度値に関しては、一般に知られたディザ処理や誤差拡散処理を用いて、擬似的に表示することができる。
【００７５】
そして、本実施の形態におけるプラズマディスプレイ装置は、図３、図４に示した第１テーブルと第２テーブルとを備え、画像信号にもとづきこれら２つのテーブルを切換えて用いている。例えば、消費電力が少ないと判断される画像を表示するときには第１テーブルを用いて画像をパネル１０に表示し、消費電力が多いと判断される画像を表示するときには第２テーブルを用いて画像をパネル１０に表示する。
【００７６】
また、本実施の形態におけるプラズマディスプレイ装置は、複数の駆動電圧波形を備えており、コーディングテーブルに応じてパネル１０に印加する駆動電圧波形を切換えて用いる。本実施の形態において、複数の駆動電圧波形は、第１の駆動電圧波形と第２の駆動電圧波形である。そして、第１のコーディングテーブルを用いて画像を表示する際には第１の駆動電圧波形を発生してパネル１０の各電極に印加する。また、第２のコーディングテーブルを用いて画像を表示する際には第２の駆動電圧波形を発生してパネル１０の各電極に印加する。次に、これらの駆動電圧波形について説明する。
【００７７】
図５は、本発明の実施の形態１におけるプラズマディスプレイ装置に用いるパネル１０の各電極に印加する第１の駆動電圧波形を示す図である。
【００７８】
図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【００７９】
また、図５には、初期化期間に走査電極ＳＣ１〜走査電極ＳＣｎに印加する駆動電圧の波形形状が異なる２つのサブフィールドの駆動電圧波形を示す。この２つのサブフィールドとは、全セル初期化サブフィールドであるサブフィールドＳＦ１と、選択初期化サブフィールドであるサブフィールドＳＦ２である。
【００８０】
なお、他のサブフィールドにおける駆動電圧波形は、維持期間における維持パルスの発生数が異なる以外はサブフィールドＳＦ２の駆動電圧波形とほぼ同様である。また、以下における走査電極ＳＣｉ、維持電極ＳＵｉ、データ電極Ｄｋは、各電極の中から画像データ（サブフィールド毎の点灯・非点灯を示すデータ）にもとづき選択された電極を表す。
【００８１】
まず、全セル初期化サブフィールドであるサブフィールドＳＦ１について説明する。
【００８２】
サブフィールドＳＦ１の初期化期間前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧Ｖｉ１を印加する。電圧Ｖｉ１は、維持電極ＳＵ１〜維持電極ＳＵｎに対して放電開始電圧未満の電圧に設定する。
【００８３】
さらに、走査電極ＳＣ１〜走査電極ＳＣｎに、電圧Ｖｉ１から電圧Ｖｉ２に向かって緩やかに上昇する傾斜波形電圧を印加する。以下、この傾斜波形電圧を、「上りランプ電圧Ｌ１」と呼称する。また、電圧Ｖｉ２は、維持電極ＳＵ１〜維持電極ＳＵｎに対して放電開始電圧を超える電圧に設定する。なお、この上りランプ電圧Ｌ１の勾配の一例として、約１．３Ｖ／μｓｅｃという数値を挙げることができる。
【００８４】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。さらに、それ以降の放電の発生を助けるプライミング粒子も発生する。
【００８５】
この電極上の壁電圧とは、電極を覆う誘電体層上、保護層上、蛍光体層上等に蓄積された壁電荷により生じる電圧を表す。
【００８６】
初期化期間後半部では、維持電極ＳＵ１〜維持電極ＳＵｎには正の電圧Ｖｅを印加し、データ電極Ｄ１〜データ電極Ｄｍには第１の電圧として電圧０（Ｖ）を印加する。走査電極ＳＣ１〜走査電極ＳＣｎには、電圧Ｖｉ３から負の電圧Ｖｉ４に向かって緩やかに下降する第１の下り傾斜波形電圧を印加する。
【００８７】
以下、この第１の下り傾斜波形電圧を「下りランプ電圧Ｌ２」と呼称する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。なお、この下りランプ電圧Ｌ２の勾配の一例として、例えば、約−２．５Ｖ／μｓｅｃという数値を挙げることができる。また、電圧Ｖｉ４は後述する走査パルスを発生するときの負の電圧Ｖａに電圧Ｖｓｅｔ２を重畳した電圧に等しい。
【００８８】
走査電極ＳＣ１〜走査電極ＳＣｎに下りランプ電圧Ｌ２を印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。
【００８９】
そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。さらに、それ以降の放電の発生を助けるプライミング粒子も発生する。このプライミング粒子は、続く書込み期間において書込み放電の放電遅れ時間を短くする働きを有する。放電遅れ時間とは、放電セルに印加する電圧が放電開始電圧を超えてから、実際に放電が発生するまでの時間のことである。
【００９０】
以上により、全ての放電セルで初期化放電を発生する全セル初期化動作が終了する。
【００９１】
以下、全セル初期化動作を行う期間を「全セル初期化期間」と記す。また、全セル初期化動作を行うために発生する駆動電圧波形を「全セル初期化波形」と記す。
【００９２】
続く書込み期間では、走査電極ＳＣ１〜走査電極ＳＣｎには、電圧Ｖａの走査パルスを順次印加する。データ電極Ｄ１〜データ電極Ｄｍには、発光するべき放電セルに対応するデータ電極Ｄｋに正の電圧Ｖｄの書込みパルスを印加する。こうして、各放電セルに選択的に書込み放電を発生する。
【００９３】
具体的には、初期化期間後半部に引き続き、データ電極Ｄ１〜データ電極Ｄｍには電圧０（Ｖ）を、維持電極ＳＵ１〜維持電極ＳＵｎには電圧Ｖｅを印加し、走査電極ＳＣ１〜走査電極ＳＣｎに電圧Ｖｃを印加する。
【００９４】
次に、最初に書込み動作を行う１行目の走査電極ＳＣ１に負の電圧Ｖａの走査パルスを印加する。それとともに、データ電極Ｄ１〜データ電極Ｄｍのうちの１行目において発光するべき放電セルのデータ電極Ｄｋに正の電圧Ｖｄの書込みパルスを印加する。このときデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【００９５】
また、維持電極ＳＵ１〜維持電極ＳＵｎに電圧Ｖｅを印加しているため、維持電極ＳＵ１と走査電極ＳＣ１との電圧差は、外部印加電圧の差である（電圧Ｖｅ−電圧Ｖａ）に維持電極ＳＵ１上の壁電圧と走査電極ＳＣ１上の壁電圧との差が加算されたものとなる。このとき、電圧Ｖｅを、放電開始電圧をやや下回る程度の電圧値に設定することで、維持電極ＳＵ１と走査電極ＳＣ１との間を、放電には至らないが放電が発生しやすい状態とすることができる。
【００９６】
これにより、データ電極Ｄｋと走査電極ＳＣ１との間に発生する放電に誘発されて、データ電極Ｄｋと交差する領域にある維持電極ＳＵ１と走査電極ＳＣ１との間に放電が発生する。こうして、発光するべき放電セルに書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【００９７】
このようにして、１行目において、発光するべき放電セルで書込み放電を発生して各電極上に壁電圧を蓄積する書込み動作を行う。一方、書込みパルスを印加しなかったデータ電極３２と走査電極ＳＣ１との交差部の電圧は放電開始電圧を超えないので、書込み放電は発生しない。
【００９８】
次に、２番目に書込み動作を行う走査電極ＳＣ２に走査パルスを印加するとともに、２番目に書込み動作を行う行の発光するべき放電セルに対応するデータ電極Ｄｋに書込みパルスを印加する。走査パルスと書込みパルスとが同時に印加された放電セルでは書込み放電が発生し、書込み動作が行われる。
【００９９】
以上の書込み動作をｎ行目の放電セルに至るまで順次行い、書込み期間が終了する。このようにして、書込み期間では、発光するべき放電セルに選択的に書込み放電を発生し、その放電セルに、続く維持期間において維持放電を発生するために必要な壁電荷を形成する。
【０１００】
続く維持期間では、データ電極Ｄ１〜データ電極Ｄｍに電圧０（Ｖ）を印加する。そして、維持電極ＳＵ１〜維持電極ＳＵｎに電圧０（Ｖ）を印加するとともに走査電極ＳＣ１〜走査電極ＳＣｎに正の電圧Ｖｓの維持パルスを印加する。書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【０１０１】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。書込み期間において書込み放電が発生しなかった放電セルでは維持放電は発生せず、初期化期間の終了時における壁電圧が保たれる。
【０１０２】
続いて、走査電極ＳＣ１〜走査電極ＳＣｎには電圧０（Ｖ）を印加し、維持電極ＳＵ１〜維持電極ＳＵｎには電圧Ｖｓの維持パルスを印加する。直前に維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【０１０３】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうすることで、書込み期間において書込み放電を発生した放電セルで維持放電が継続して発生する。
【０１０４】
そして、維持期間において全ての維持パルスを発生した後に、すなわち、維持期間における最後の維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎには、ベース電位であり放電開始電圧未満となる電圧０（Ｖ）から、第１の所定電圧である電圧Ｖｒまで緩やかに上昇する上り傾斜波形電圧を印加する。以下、この上り傾斜波形電圧を「上り消去ランプ電圧Ｌ３」と呼称する。
【０１０５】
これにより、維持放電を発生した放電セルにおいて、微弱な放電を持続して発生し、データ電極Ｄｋ上の正の壁電圧を残したまま、走査電極ＳＣｉおよび維持電極ＳＵｉ上の壁電圧の一部または全部を消去する。
【０１０６】
具体的には、維持電極ＳＵ１〜維持電極ＳＵｎおよびデータ電極Ｄ１〜データ電極Ｄｍには電圧０（Ｖ）を印加したまま、電圧０（Ｖ）から電圧Ｖｒに向かって上昇する上り消去ランプ電圧Ｌ３を、上りランプ電圧Ｌ１よりも急峻な勾配で発生し、走査電極ＳＣ１〜走査電極ＳＣｎに印加する。この勾配は、例えば、約５Ｖ／μｓｅｃである。電圧Ｖｒを放電開始電圧を超える電圧に設定することで、維持放電を発生した放電セルの維持電極ＳＵｉと走査電極ＳＣｉとの間で、微弱な放電が発生する。
【０１０７】
そして、この微弱な放電は、走査電極ＳＣ１〜走査電極ＳＣｎへの印加電圧が放電開始電圧を超えて上昇する期間、持続して発生する。そして、上昇する電圧があらかじめ定めた電圧Ｖｒに到達したら、走査電極ＳＣ１〜走査電極ＳＣｎへの印加電圧を電圧０（Ｖ）まで下降する。
【０１０８】
なお、本実施の形態では、電圧Ｖｒを維持パルスの電圧Ｖｓよりも低い電圧に設定している。その理由については後述する。
【０１０９】
この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積される。これにより、走査電極ＳＣ１〜走査電極ＳＣｎと維持電極ＳＵ１〜維持電極ＳＵｎとの間の壁電圧は、走査電極ＳＣｉに印加した電圧と放電開始電圧の差、例えば（電圧Ｖｒ−放電開始電圧）の程度まで弱められる。すなわち、上り消去ランプ電圧Ｌ３により発生する放電は、消去放電として働く。
【０１１０】
その後、走査電極ＳＣ１〜走査電極ＳＣｎを電圧０（Ｖ）に戻し、維持期間における維持動作が終了する。
【０１１１】
サブフィールドＳＦ２の初期化期間では、データ電極Ｄ１〜データ電極Ｄｍには、第１の電圧である電圧０（Ｖ）を印加する。また、維持電極ＳＵ１〜維持電極ＳＵｎには、電圧Ｖｅを印加する。そして、走査電極ＳＣ１〜走査電極ＳＣｎには、放電開始電圧未満となる電圧Ｖｉ３’（例えば、ベース電位である電圧０（Ｖ））から放電開始電圧を超える負の電圧Ｖｉ４に向かって緩やかに下降する下り傾斜波形電圧（下りランプ電圧Ｌ４）を印加する。
【０１１２】
この下りランプ電圧Ｌ４の勾配は下りランプ電圧Ｌ２の勾配と同じであってもよく、その一例として、例えば、約−２．５Ｖ／μｓｅｃという数値を挙げることができる。
【０１１３】
これにより、直前のサブフィールド（図５では、サブフィールドＳＦ１）の維持期間で維持放電を発生した放電セルでは、微弱な初期化放電が発生する。そして、走査電極ＳＣｉ上および維持電極ＳＵｉ上の壁電圧が弱められ、データ電極Ｄｋ上の壁電圧も書込み動作に適した値に調整される。
【０１１４】
一方、直前のサブフィールドの維持期間で維持放電を発生しなかった放電セルでは、初期化放電は発生せず、直前のサブフィールドの初期化期間終了時における壁電荷が保たれる。このようにしてサブフィールドＳＦ２における初期化動作が完了する。
【０１１５】
このように、サブフィールドＳＦ２における初期化動作は、直前のサブフィールドの書込み期間で書込み放電を発生し維持期間で維持放電を発生した放電セルだけに初期化放電を発生する選択初期化動作となる。以下、選択初期化動作を行う期間を選択初期化期間と記す。
【０１１６】
サブフィールドＳＦ２の書込み期間および維持期間では、維持パルスの発生数を除き、各電極に対してサブフィールドＳＦ１の書込み期間および維持期間と同様の駆動電圧波形を印加する。また、サブフィールドＳＦ３以降の各サブフィールドでは、維持パルスの発生数を除き、各電極に対してサブフィールドＳＦ２と同様の駆動電圧波形を印加する。
【０１１７】
以上が、本実施の形態において、「非発光のサブフィールドが２つ以上連続して発生しない表示用コーディング」を有するコーディングテーブル、例えば第１テーブル、を用いて画像を表示する際にパネル１０の各電極に印加する第１の駆動電圧波形の概要である。
【０１１８】
図６は、本発明の実施の形態１におけるプラズマディスプレイ装置に用いるパネル１０の各電極に印加する第２の駆動電圧波形を示す図である。
【０１１９】
図６には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【０１２０】
図６に示す第２の駆動電圧波形は、図５に示した第１の駆動電圧波形とほぼ同じ波形形状である。ただし、特定のサブフィールド（本実施の形態では、サブフィールドＳＦ２）の維持期間において最後の維持パルスを発生した後の駆動電圧波形が、第１の駆動電圧波形とは異なる。
【０１２１】
すなわち、第２の駆動電圧波形では、特定のサブフィールドであるサブフィールドＳＦ２の維持期間において、維持期間における最後の維持パルスの発生後に、維持電極ＳＵ１〜維持電極ＳＵｎおよびデータ電極Ｄ１〜データ電極Ｄｍには電圧０（Ｖ）を印加したまま、ベース電位であり放電開始電圧未満となる電圧０（Ｖ）から第２の所定電圧である電圧Ｖｉ８まで緩やかに下降する第３の下り傾斜波形電圧を発生して走査電極ＳＣ１〜走査電極ＳＣｎに印加する。以下、この第３の下り傾斜波形電圧を「下り消去ランプ電圧Ｌ８」と呼称する。
【０１２２】
下り消去ランプ電圧Ｌ８が放電開始電圧を越えて下降する間に、サブフィールドＳＦ２で書込み放電が発生せず、維持放電が発生しなかった放電セルにおいて、走査電極２２とデータ電極３２との間で微弱な放電が発生する。そして、この微弱な放電は、走査電極ＳＣ１〜走査電極ＳＣｎへの印加電圧が下降する期間、持続して発生する。そして、下降する電圧があらかじめ定めた電圧Ｖｉ８に到達したら、走査電極ＳＣ１〜走査電極ＳＣｎに印加する電圧を０（Ｖ）まで上昇する。なお、本実施の形態では、電圧Ｖｉ８は、下りランプ電圧Ｌ２の最低電圧である電圧Ｖｉ４に等しい電圧に設定している。
【０１２３】
下り消去ランプ電圧Ｌ８により発生する放電の働きについては、後述する。
【０１２４】
そして、維持期間の最後に、すなわち、走査電極ＳＣ１〜走査電極ＳＣｎへ下り消去ランプ電圧Ｌ８を印加した後に、走査電極ＳＣ１〜走査電極ＳＣｎに、第１の駆動電圧波形と同様に、０（Ｖ）から電圧Ｖｅｒｓに向かって緩やかに上昇する上り消去ランプ電圧Ｌ３を印加する。
【０１２５】
第２の駆動電圧波形において、サブフィールドＳＦ２の維持期間を除く期間の駆動電圧波形は第１の駆動電圧波形と同様であるので、説明を省略する。
【０１２６】
以上が、本実施の形態において、「非発光のサブフィールドが２つ連続して発生する表示用コーディング」を有するコーディングテーブル、例えば第２テーブル、を用いて画像を表示する際にパネル１０の各電極に印加する第２の駆動電圧波形の概要である。
【０１２７】
次に、本実施の形態において、「非発光のサブフィールドが２つ連続して発生する表示用コーディング」を有するコーディングテーブルを用いて画像を表示する際に、第２の駆動電圧波形を発生し、特定サブフィールド（本実施の形態ではサブフィールドＳＦ２）で、維持期間における最後の維持パルスの発生後に、走査電極ＳＣ１〜走査電極ＳＣｎに第３の下り傾斜波形電圧（下り消去ランプ電圧Ｌ８）を印加する理由について説明する。
【０１２８】
本願発明者は、あるサブフィールドで放電セルを点灯した後、そのサブフィールドに続く連続した２つ以上のサブフィールドが非点灯となり、その後のサブフィールドで再度その放電セルが点灯するとき、そのサブフィールドで「書込み不良」が発生することがあることを実験により確認した。この「書込み不良」とは、その放電セルに書込みパルスを印加するにもかかわらず書込み放電が発生しない現象のことである。
【０１２９】
例えば、図４に示した第２のコーディングテーブルを用いてパネル１０に画像を表示する場合、輝度値「９」または輝度値「２５」を表示する放電セルでは、サブフィールドＳＦ１は点灯し、サブフィールドＳＦ１に続く連続した２つのサブフィールドＳＦ２、サブフィールドＳＦ３は非点灯となり、その後のサブフィールドＳＦ４は再度点灯する。そのため、このサブフィールドＳＦ４に書込み不良が発生するおそれがある。
【０１３０】
これは、次のような理由によると考えられる。なお、以下では、第２のコーディングテーブルを用いて輝度値「９」を表示する放電セルを例に挙げて説明を行う。
【０１３１】
第２のコーディングテーブルを用いて輝度値「９」を表示する放電セルでは、サブフィールドＳＦ１で維持放電を発生した後、サブフィールドＳＦ２の書込み期間で、データ電極３２に書込みパルスを印加しない。しかし、走査パルスを走査電極２２に印加するため、その放電セルにも走査パルスは印加される。
【０１３２】
そして、走査パルスが印加されることでその放電セルに電界が生じ、周辺の放電セルからその放電セルに壁電荷やプライミング粒子が移動してくると考えられる。このような壁電荷やプライミング粒子の不要な移動は、パネル１０の高精細度化にともない微細化が進んだ放電セルで、より発生しやすい。
【０１３３】
これらの壁電荷やプライミング粒子は量的にそれほど多いわけではないが、その放電セルにこれらの壁電荷やプライミング粒子が蓄積することで、その放電セルは放電が発生しやすい状態となる。そして、その結果、サブフィールドＳＦ２の維持期間において、１つ目の維持パルスを走査電極２２に印加するときに、その放電セル内に不要な微弱放電が発生することがある。
【０１３４】
不要な微弱放電が発生した放電セルには、その微弱放電で発生した荷電粒子が、走査電極２２とデータ電極３２との間の電圧差を緩和するように、走査電極２２上およびデータ電極３２上に蓄積され、走査電極２２上には負の壁電圧が形成される。
【０１３５】
しかし、その放電は微弱であるため、２回目以降の維持放電が発生するほどには壁電荷およびプライミング粒子は生成されない。したがって、下り消去ランプ電圧Ｌ８を発生しなければ、その放電セルには、上り消去ランプ電圧Ｌ３による放電、および、続く初期化期間における初期化放電も発生しない。
【０１３６】
その放電セルは、続くサブフィールドＳＦ３も非点灯である。したがって、サブフィールドＳＦ３の書込み期間においても、その放電セルには書込みパルスは印加されない。しかしながら、その放電セルには、サブフィールドＳＦ２の維持期間の１つ目の維持パルスで発生した不要な微弱放電により生じた不要な壁電荷およびプライミング粒子が存在する。そのため、その放電セルでは、走査パルスを印加することで再び不要な微弱放電が発生する。そして、この不要な微弱放電は、その放電セル内の壁電荷を消去してしまうと考えられる。
【０１３７】
そして、その放電セルには、サブフィールドＳＦ３の書込み期間において、上述した不要な微弱放電は発生するものの、書込み動作が行われず通常の書込み放電は発生しないので、続く維持期間において維持放電は発生せず、上り消去ランプ電圧Ｌ３による消去放電も発生せず、続く選択初期化期間における初期化放電も発生しない。したがって、その放電セルでは、不要な微弱放電により壁電荷およびプライミング粒子が消去された状態が、続くサブフィールドＳＦ４の初期化期間以降も継続する。
【０１３８】
そのため、その放電セルでは、サブフィールドＳＦ４の書込み期間において、書込み動作に必要な壁電荷およびプライミング粒子が不足した状態となり、書込みパルスおよび走査パルスを印加しても、その放電セルには書込み放電が発生しない。こうして、点灯すべきサブフィールドＳＦ４で書込み不良が発生すると考えられる。
【０１３９】
そして、一旦書込み不良が発生すると、その後、全セル初期化動作を行うまでは、書込み動作に必要な壁電荷およびプライミング粒子が不足した状態が継続するため、書込み不良も継続して発生する。
【０１４０】
以上が、１フィールド内で、１つのサブフィールドが一旦点灯し、そのサブフィールドに続く連続した２つ以上のサブフィールドが非点灯となり、その後のサブフィールドで点灯のための書込み動作を再度行うときに、その放電セルで書込み不良が発生する理由である。
【０１４１】
このような書込み不良を防止するためには、上述した「１つ目の維持パルスで発生した不要な微弱放電により生じた不要な壁電荷およびプライミング粒子」を消去すればよい。
【０１４２】
そこで、本実施の形態では、一度サブフィールドが点灯した後に、連続した２つ以上の非点灯のサブフィールドが発生し、その後のサブフィールドで再度点灯する放電セルが発生する可能性があるとき、すなわち、そのような点灯・非点灯の組合せを有するコーディングがテーブル内に存在するとき、連続した２つ以上の非点灯のサブフィールドのうちの時間的に先に発生するサブフィールドを特定サブフィールドとする。
【０１４３】
上述した例では、第２テーブルを用いて画像を表示する際に、サブフィールドＳＦ２およびサブフィールドＳＦ３が「連続した２つの非点灯のサブフィールド」となる可能性がある。そこで、第２テーブルを用いてパネル１０を駆動する際には、連続した２つの非点灯のサブフィールドのうちの時間的に先に発生するサブフィールドであるサブフィールドＳＦ２を特定サブフィールドとする。
【０１４４】
そして、特定サブフィールド（本実施の形態に示す例では、サブフィールドＳＦ２）では、維持期間において、最後の維持パルスの発生後に、維持電極ＳＵ１〜維持電極ＳＵｎおよびデータ電極Ｄ１〜データ電極Ｄｍには電圧０（Ｖ）を印加したまま、ベース電位であり放電開始電圧未満となる電圧０（Ｖ）から第２の所定電圧である電圧Ｖｉ８まで緩やかに下降する第３の下り傾斜波形電圧（下り消去ランプ電圧Ｌ８）を発生して走査電極ＳＣ１〜走査電極ＳＣｎに印加する。
【０１４５】
次に、下り消去ランプ電圧Ｌ８により発生する放電の働きについて、説明する。特定サブフィールドにおいては、上述したように、「１つ目の維持パルス」で不要な微弱放電を発生した放電セルの走査電極２２上に負の壁電圧が形成される可能性がある。したがって、下り消去ランプ電圧Ｌ８を走査電極ＳＣ１〜走査電極ＳＣｎに印加することで、不要な壁電荷により走査電極２２上に負の壁電圧が形成された放電セルに放電を発生することができる。
【０１４６】
下り消去ランプ電圧Ｌ８による放電によって発生した荷電粒子は、走査電極２２とデータ電極３２との間の電圧差を緩和するように、走査電極２２上およびデータ電極３２上に蓄積され、走査電極２２上には正の壁電圧が形成される。
【０１４７】
その結果、下り消去ランプ電圧Ｌ８によって放電を発生した放電セルでは、下り消去ランプ電圧Ｌ８に続いて走査電極ＳＣ１〜走査電極ＳＣｎに印加する上り消去ランプ電圧Ｌ３により、消去放電を発生することができる。これにより、続く選択初期化期間においても初期化放電が発生する。したがって、その放電セルにおいては、内部に蓄積された不要な壁電荷を消去し、その放電セルを正常な壁電荷の状態にすることができる。
【０１４８】
これらのことから、その書込み期間では、不要な壁電荷による不要な微弱放電の発生が防止される。上述の例では、サブフィールドＳＦ３の書込み期間における不要な微弱放電の発生を防止することができる。
【０１４９】
したがって、それに続く点灯すべきサブフィールドにおいて正常に書込み動作を行うことが可能となり、そのサブフィールドで放電セルを正常に点灯することができる。上述の例では、サブフィールドＳＦ４の書込み期間において正常に書込み放電を発生し、サブフィールドＳＦ４を正常に点灯することができる。
【０１５０】
このように、本実施の形態では、連続した２つ以上の非点灯のサブフィールドが発生する可能性がある場合に、連続した２つ以上の非点灯のサブフィールドのうちの時間的に先に発生するサブフィールドを特定サブフィールドとする。そして、特定サブフィールドにおいては、維持期間の最後の維持パルスの発生後に、下り消去ランプ電圧Ｌ８を走査電極ＳＣ１〜走査電極ＳＣｎに印加する。
【０１５１】
これにより、あるサブフィールドで放電セルを点灯した後、そのサブフィールドに続く連続した２つ以上のサブフィールドが非点灯となり、その後のサブフィールドで再度その放電セルを点灯するとき、そのサブフィールドで発生するおそれのある書込み不良を防止することができる。したがって、プラズマディスプレイ装置における画像表示品質の劣化を防止することができる。
【０１５２】
なお、本実施の形態に示す第１テーブルでは、連続した２つ以上の非点灯のサブフィールドが発生する可能性はないので、上述した書込み不良が発生するおそれはない。したがって、本実施の形態では、連続した２つ以上の非点灯のサブフィールドが発生する可能性のないテーブル（上述の例では、第１テーブル）を用いてパネル１０を駆動する際には、特定サブフィールドは設けず、下り消去ランプ電圧Ｌ８を発生しない第１の駆動電圧波形を発生してパネル１０の各電極に印加するものとする。
【０１５３】
なお、下り消去ランプ電圧Ｌ８は、最低電圧（電圧Ｖｉ８）が高すぎると、壁電荷の調整が不足して続く書込み放電が不安定になる。また、最低電圧（電圧Ｖｉ８）が低すぎると、壁電荷が過剰に調整されて続く書込み放電が不安定になる。これらのことが本願発明者により確認された。
【０１５４】
そして、下り消去ランプ電圧Ｌ８の最低電圧（電圧Ｖｉ８）は、下りランプ電圧Ｌ２の最低電圧（電圧Ｖｉ４）に対して＋５（Ｖ）から−５（Ｖ）の範囲に設定することが望ましいことが確認された。例えば、電圧Ｖｉ４が−１７５（Ｖ）であれば、電圧Ｖｉ８を−１７０（Ｖ）から−１８０（Ｖ）の範囲で設定することが望ましい。このことから、本実施の形態では、電圧Ｖｉ８を電圧Ｖｉ４と同じ電圧（例えば、−１７５（Ｖ））に設定している。
【０１５５】
なお、本実施の形態において各電極に印加する電圧の大きさは、例えば、電圧Ｖｉ１＝１５０（Ｖ）、電圧Ｖｉ２＝３５０（Ｖ）、電圧Ｖｉ３＝２１５（Ｖ）、電圧Ｖｉ３’＝０（Ｖ）、電圧Ｖｉ４＝−１７５（Ｖ）、電圧Ｖｉ８＝−１７５（Ｖ）、電圧Ｖｃ＝−５０（Ｖ）、電圧Ｖａ＝−２００（Ｖ）、電圧Ｖｓ＝２１５（Ｖ）、電圧Ｖｒ＝２００（Ｖ）、電圧Ｖｅ＝１７０（Ｖ）、電圧Ｖｄ＝６０（Ｖ）である。ただし、これらの電圧値は、実施の形態における一例を挙げたものに過ぎない。各電圧値は上述した値に限定されるものではなく、パネル１０の特性やプラズマディスプレイ装置の仕様等に合わせて、適宜最適な値に設定することが望ましい。
【０１５６】
次に、上り消去ランプ電圧Ｌ３の到達電位である電圧Ｖｒを維持パルスの電圧Ｖｓよりも低い電圧に設定する理由について説明する。
【０１５７】
図７は、本発明の実施の形態１における電圧Ｖｒと電圧Ｖｓとの電圧差と電圧Ｖｉ４と電圧Ｖａとの電圧差との関係を示す図である。
【０１５８】
なお、以下、電圧Ｖｉ４と電圧Ｖａとの電圧差を、電圧Ｖｓｅｔ２と記す。すなわち、電圧Ｖｉ４＝電圧Ｖａ＋電圧Ｖｓｅｔ２となる。
【０１５９】
図７において、横軸は、電圧Ｖｒと電圧Ｖｓとの電圧差、すなわち電圧Ｖｒ−電圧Ｖｓを表し、縦軸は電圧Ｖｉ４と電圧Ｖａとの電圧差、すなわち電圧Ｖｉ４−電圧Ｖａ（電圧Ｖｓｅｔ２）を表す。
【０１６０】
図７において、丸印でプロットされたグラフは、続く書込み期間において安定に書込み放電を発生できる電圧Ｖｓｅｔ２の上限を表す。電圧Ｖｓｅｔ２を、この上限を超える電圧に設定すると、続く書込み期間において誤放電が発生する可能性が高くなる。この誤放電とは、書込みパルスを印加しない放電セル（走査パルスだけを印加する放電セル）においても書込み放電が発生する現象のことである。
【０１６１】
また、図７において、三角印でプロットされたグラフは、続く書込み期間において安定に書込み放電を発生できる電圧Ｖｓｅｔ２の下限を表す。電圧Ｖｓｅｔ２を、この下限未満の電圧に設定すると、続く書込み期間において、書込みパルスを印加する放電セルにおいて書込み放電が発生しないという書込み不良が発生する可能性が高くなる。
【０１６２】
したがって、この上限と下限との差が大きいほど、続く書込み期間において安定に書込み動作を行うことができる。
【０１６３】
なお、図７に示すグラフは、電圧Ｖｓ＝２１５（Ｖ）、電圧Ｖａ＝−２００（Ｖ）に設定し、電圧Ｖｒを電圧Ｖｓ＋５（Ｖ）から電圧Ｖｓ−３０（Ｖ）まで５（Ｖ）きざみで変化させながら、電圧Ｖｓｅｔ２を可変して放電の発生を確認するという手順で実験を行い、得られた結果を示したものである。
【０１６４】
そして、図７に示すように、電圧Ｖｒ−電圧Ｖｓが電圧０（Ｖ）のとき、すなわち、電圧Ｖｒ＝電圧Ｖｓのときには、電圧Ｖｓｅｔ２の上限（約８３．５（Ｖ））と下限（約７６．５（Ｖ））との差は、約７（Ｖ）であった。
【０１６５】
また、電圧Ｖｒ−電圧Ｖｓが−５（Ｖ）のとき、すなわち、電圧Ｖｒ＝電圧Ｖｓ−５（Ｖ）のときには、電圧Ｖｓｅｔ２の上限（約８４．１（Ｖ））と下限（約７６（Ｖ））との差は、約８．１（Ｖ）であった。
【０１６６】
また、電圧Ｖｒ−電圧Ｖｓが−１０（Ｖ）のとき、すなわち、電圧Ｖｒ＝電圧Ｖｓ−１０（Ｖ）のときには、電圧Ｖｓｅｔ２の上限（約８５．２（Ｖ））と下限（約７５．５（Ｖ））との差は、約９．７（Ｖ）であった。
【０１６７】
また、電圧Ｖｒ−電圧Ｖｓが−１５（Ｖ）のとき、すなわち、電圧Ｖｒ＝電圧Ｖｓ−１５（Ｖ）のときには、電圧Ｖｓｅｔ２の上限（約８５．５（Ｖ））と下限（約７４（Ｖ））との差は、約１１．５（Ｖ）であった。
【０１６８】
また、電圧Ｖｒ−電圧Ｖｓが−２０（Ｖ）のとき、すなわち、電圧Ｖｒ＝電圧Ｖｓ−２０（Ｖ）のときには、電圧Ｖｓｅｔ２の上限（約８５．２（Ｖ））と下限（約７３．５（Ｖ））との差は、約１１．７（Ｖ）であった。
【０１６９】
また、電圧Ｖｒ−電圧Ｖｓが−２５（Ｖ）のとき、すなわち、電圧Ｖｒ＝電圧Ｖｓ−２５（Ｖ）のときには、電圧Ｖｓｅｔ２の上限（約８５．５（Ｖ））と下限（約７３（Ｖ））との差は、約１２．５（Ｖ）であった。
【０１７０】
また、電圧Ｖｒ−電圧Ｖｓが−３０（Ｖ）のとき、すなわち、電圧Ｖｒ＝電圧Ｖｓ−３０（Ｖ）のときには、電圧Ｖｓｅｔ２の上限（約８５．４（Ｖ））と下限（約７３（Ｖ））との差は、約１２．４（Ｖ）であった。
【０１７１】
このように、図７に示す結果から、電圧Ｖｒを電圧Ｖｓよりも低い電圧に設定することで、電圧Ｖｒを電圧Ｖｓに等しい電圧に設定するときよりも、続く書込み期間において安定に書込み放電を発生できる電圧Ｖｓｅｔ２の上限と下限との差を大きくし、書込み動作を安定化することができることが確認された。
【０１７２】
これは、電圧Ｖｒを電圧Ｖｓよりも低い電圧に設定することで、電圧Ｖｒを電圧Ｖｓに等しい電圧に設定するときよりも、消去放電の持続時間が短縮されて維持放電で発生した壁電荷がより多く残存し、その結果、特に走査電極２２と維持電極２３との間に生じる放電がより安定化するようになるためと考えられる。
【０１７３】
これらのことから、本実施の形態では、電圧Ｖｒを、電圧Ｖｓよりも低い電圧に設定するものとする。
【０１７４】
ただし、電圧Ｖｒ−電圧Ｖｓが−３５（Ｖ）以下のとき、すなわち、電圧Ｖｒを電圧Ｖｓ−３５（Ｖ）以下にすると、それに続く維持期間で、書込みパルスを印加しない放電セルにおいても維持放電が持続する可能性が高くなることが確認された。これは、電圧Ｖｒを下げ過ぎることで消去放電が不足して壁電荷およびプライミング粒子の残存量が過大となるためと考えられる。
【０１７５】
このように、電圧Ｖｒを低くし過ぎると、続く維持期間で誤放電が発生するおそれがあることが確認された。そこで、本実施の形態では、電圧Ｖｒを、電圧Ｖｓよりも低く、かつ、続く維持期間で誤放電が発生しない電圧に設定するものとする。
【０１７６】
具体的には、本実施の形態では、図７に示した特性にもとづき、電圧Ｖｒを、電圧Ｖｓ−５（Ｖ）から電圧Ｖｓ−３０（Ｖ）の範囲で設定するものとする。例えば、電圧Ｖｓ＝２１５（Ｖ）、電圧Ｖｒ＝２００（Ｖ）に設定する。
【０１７７】
ただし、これらの電圧値は、実施の形態における一例に過ぎない。各電圧値は上述した値に限定されるものではなく、パネル１０の特性やプラズマディスプレイ装置の仕様等に合わせて、適宜最適な値に設定することが望ましい。
【０１７８】
次に、本実施の形態におけるプラズマディスプレイ装置の構成について説明する。なお、以下の説明においては、スイッチング素子を導通する動作を「オン」、遮断する動作を「オフ」と表記する。
【０１７９】
図８は、本発明の実施の形態１におけるプラズマディスプレイ装置４０の回路ブロック図である。
【０１８０】
プラズマディスプレイ装置４０は、パネル１０とパネル１０を駆動する駆動回路とを備える。駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【０１８１】
画像信号処理回路４１は、入力された画像信号にもとづき、各放電セルに階調値を割り当てる。そして、その階調値を、サブフィールド毎の発光・非発光を示す画像データに変換する。
【０１８２】
例えば、入力された画像信号ｓｉｇがＲ信号、Ｇ信号、Ｂ信号を含むときには、そのＲ信号、Ｇ信号、Ｂ信号にもとづき、各放電セルにＲ、Ｇ、Ｂの各階調値（１フィールドで表現される階調値）を割り当てる。あるいは、入力された画像信号ｓｉｇが輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値を割り当てる。そして、各放電セルに割り当てたＲ、Ｇ、Ｂの階調値を、サブフィールド毎の発光・非発光を示す画像データに変換する。
【０１８３】
タイミング発生回路４５は、水平同期信号および垂直同期信号にもとづき、各回路ブロックの動作を制御する各種のタイミング信号を発生する。そして、発生したタイミング信号をそれぞれの回路ブロック（画像信号処理回路４１、データ電極駆動回路４２、走査電極駆動回路４３および維持電極駆動回路４４等）へ供給する。
【０１８４】
走査電極駆動回路４３は、初期化波形発生回路、維持パルス発生回路、走査パルス発生回路（図示せず）を有する。初期化波形発生回路は、初期化期間に走査電極ＳＣ１〜走査電極ＳＣｎに印加する初期化波形を発生する。維持パルス発生回路は、維持期間に走査電極ＳＣ１〜走査電極ＳＣｎに印加する維持パルスを発生する。走査パルス発生回路は、複数の走査電極駆動ＩＣ（走査ＩＣ）を備え、書込み期間に走査電極ＳＣ１〜走査電極ＳＣｎに印加する走査パルスを発生する。そして、走査電極駆動回路４３は、タイミング発生回路４５から供給されるタイミング信号にもとづいて走査電極ＳＣ１〜走査電極ＳＣｎをそれぞれ駆動する。
【０１８５】
データ電極駆動回路４２は、画像データを構成するサブフィールド毎のデータを、各データ電極Ｄ１〜データ電極Ｄｍに対応する書込みパルスに変換する。そして、タイミング発生回路４５から供給されるタイミング信号にもとづいて、各データ電極Ｄ１〜データ電極Ｄｍに書込みパルスを印加する。
【０１８６】
維持電極駆動回路４４は、維持パルス発生回路および電圧Ｖｅを発生する回路を備え（図示せず）、タイミング発生回路４５から供給されるタイミング信号にもとづいて維持電極ＳＵ１〜維持電極ＳＵｎを駆動する。
【０１８７】
図９は、本発明の実施の形態１におけるプラズマディスプレイ装置４０の走査電極駆動回路４３の構成を概略的に示す回路図である。
【０１８８】
走査電極駆動回路４３は、維持パルス発生回路５０と、傾斜波形電圧発生回路６０と、走査パルス発生回路７０とを備えている。なお、各回路ブロックは、タイミング発生回路４５から供給されるタイミング信号にもとづき動作するが、図９では、タイミング信号の経路の詳細は省略する。また、走査パルス発生回路７０に入力される電圧を「基準電位Ａ」と記す。
【０１８９】
維持パルス発生回路５０は、電力回収回路５１と、スイッチング素子Ｑ５５と、スイッチング素子Ｑ５６と、スイッチング素子Ｑ５９とを有する。電力回収回路５１は、電力回収用のコンデンサＣ１０、スイッチング素子Ｑ１１、スイッチング素子Ｑ１２、逆流防止用のダイオードＤｉ１１、ダイオードＤｉ１２、共振用のインダクタＬ１１、インダクタＬ１２を有する。
【０１９０】
電力回収回路５１は、パネル１０に蓄えられた電力を、パネル１０の電極間容量とインダクタＬ１２とをＬＣ共振させてパネル１０から回収し、コンデンサＣ１０に蓄える。そして、回収した電力を、パネル１０の電極間容量とインダクタＬ１１とをＬＣ共振させてコンデンサＣ１０からパネル１０に再度供給し、走査電極ＳＣ１〜走査電極ＳＣｎを駆動するときの電力として再利用する。
【０１９１】
スイッチング素子Ｑ５５は、走査電極ＳＣ１〜走査電極ＳＣｎを電圧Ｖｓにクランプし、スイッチング素子Ｑ５６は、走査電極ＳＣ１〜走査電極ＳＣｎを電圧０（Ｖ）にクランプする。スイッチング素子Ｑ５９は分離スイッチであり、走査電極駆動回路４３を構成するスイッチング素子の寄生ダイオード等を介して電流が逆流するのを防止する。
【０１９２】
このようにして、維持パルス発生回路５０は、走査電極ＳＣ１〜走査電極ＳＣｎに印加する電圧Ｖｓの維持パルスを発生する。
【０１９３】
走査パルス発生回路７０は、スイッチング素子Ｑ７１Ｈ１〜スイッチング素子Ｑ７１Ｈｎ、スイッチング素子Ｑ７１Ｌ１〜スイッチング素子Ｑ７１Ｌｎ、スイッチング素子Ｑ７２、負の電圧Ｖａを発生する電源、電圧Ｖｐを発生する電源Ｅ７１を有する。そして、走査パルス発生回路７０の基準電位Ａに電圧Ｖｐを重畳して電圧Ｖｃ（Ｖｃ＝Ｖａ＋Ｖｐ）を発生し、電圧Ｖａと電圧Ｖｃとを切換えながら走査電極ＳＣ１〜走査電極ＳＣｎに印加することで走査パルスを発生する。例えば、電圧Ｖａ＝−２００（Ｖ）であり、電圧Ｖｐ＝１５０（Ｖ）であれば、電圧Ｖｃ＝−５０（Ｖ）となる。
【０１９４】
そして、走査パルス発生回路７０は、走査電極ＳＣ１〜走査電極ＳＣｎのそれぞれに、図５、図６に示したタイミングで走査パルスを順次印加する。なお、走査パルス発生回路７０は、維持期間では維持パルス発生回路５０の出力電圧をそのまま出力する。すなわち、基準電位Ａの電圧を走査電極ＳＣ１〜走査電極ＳＣｎへ出力する。
【０１９５】
傾斜波形電圧発生回路６０は、ミラー積分回路６１、ミラー積分回路６２、ミラー積分回路６３を備え、図５、図６に示した傾斜波形電圧を発生する。
【０１９６】
ミラー積分回路６１は、トランジスタＱ６１とコンデンサＣ６１と抵抗Ｒ６１とを有する。そして、入力端子ＩＮ６１に一定の電圧を印加する（入力端子ＩＮ６１として図示される２つの丸の間に一定の電圧差を与える）ことにより、電圧Ｖｔに向かって緩やかに上昇する上り傾斜波形電圧を発生する。
【０１９７】
なお、本実施の形態では、電圧Ｖｉ２は、電圧Ｖｔに電圧Ｖｐを重畳した電圧に等しくなるように設定する。すなわち、ミラー積分回路６１を動作させているときは、スイッチング素子Ｑ７２およびスイッチング素子Ｑ７１Ｌ１〜スイッチング素子Ｑ７１Ｌｎをオフにし、スイッチング素子Ｑ７１Ｈ１〜スイッチング素子Ｑ７１Ｈｎをオンにして、ミラー積分回路６１で発生した上り傾斜波形電圧に電源Ｅ７１の電圧Ｖｐを重畳することで上りランプ電圧Ｌ１を発生する。
【０１９８】
ミラー積分回路６２は、トランジスタＱ６２とコンデンサＣ６２と抵抗Ｒ６２と逆流防止用のダイオードＤｉ６２とを有する。そして、入力端子ＩＮ６２に一定の電圧を印加する（入力端子ＩＮ６２として図示される２つの丸の間に一定の電圧差を与える）ことにより、電圧Ｖｒに向かって緩やかに上昇する上り傾斜波形電圧（上り消去ランプ電圧Ｌ３）を発生する。
【０１９９】
ミラー積分回路６３は、トランジスタＱ６３とコンデンサＣ６３と抵抗Ｒ６３とを有する。そして、入力端子ＩＮ６３に一定の電圧を印加する（入力端子ＩＮ６３として図示される２つの丸の間に一定の電圧差を与える）ことにより、電圧Ｖｉ４に向かって緩やかに下降する下り傾斜波形電圧（下りランプ電圧Ｌ２、下りランプ電圧Ｌ４）を発生する。
【０２００】
なお、スイッチング素子Ｑ６９は分離スイッチであり、走査電極駆動回路４３を構成するスイッチング素子の寄生ダイオード等を介して電流が逆流するのを防止する。
【０２０１】
なお、これらのスイッチング素子およびトランジスタは、ＭＯＳＦＥＴやＩＧＢＴ等の一般に知られた半導体素子を用いて構成することができる。また、これらのスイッチング素子およびトランジスタは、タイミング発生回路４５で発生したそれぞれのスイッチング素子およびトランジスタに対応するタイミング信号により制御される。
【０２０２】
図１０は、本発明の実施の形態１におけるプラズマディスプレイ装置４０の維持電極駆動回路４４の構成を概略的に示す回路図である。
【０２０３】
維持電極駆動回路４４は、維持パルス発生回路８０と、一定電圧発生回路８５とを備えている。なお、各回路ブロックは、タイミング発生回路４５から供給されるタイミング信号にもとづき動作するが、図１０では、タイミング信号の経路の詳細は省略する。
【０２０４】
維持パルス発生回路８０は、電力回収回路８１と、スイッチング素子Ｑ８３と、スイッチング素子Ｑ８４とを有する。電力回収回路８１は、電力回収用のコンデンサＣ２０、スイッチング素子Ｑ２１、スイッチング素子Ｑ２２、逆流防止用のダイオードＤｉ２１、ダイオードＤｉ２２、共振用のインダクタＬ２１、インダクタＬ２２を有する。
【０２０５】
電力回収回路８１は、パネル１０に蓄えられた電力を、パネル１０の電極間容量とインダクタＬ２２とをＬＣ共振させてパネル１０から回収し、コンデンサＣ２０に蓄える。そして、回収した電力を、パネル１０の電極間容量とインダクタＬ２１とをＬＣ共振させてコンデンサＣ２０からパネル１０に再度供給し、維持電極ＳＵ１〜維持電極ＳＵｎを駆動するときの電力として再利用する。
【０２０６】
スイッチング素子Ｑ８３は維持電極ＳＵ１〜維持電極ＳＵｎを電圧Ｖｓにクランプし、スイッチング素子Ｑ８４は維持電極ＳＵ１〜維持電極ＳＵｎを電圧０（Ｖ）にクランプする。
【０２０７】
このようにして、維持パルス発生回路８０は、走査電極ＳＣ１〜走査電極ＳＣｎに印加する電圧Ｖｓの維持パルスを発生する。
【０２０８】
一定電圧発生回路８５は、スイッチング素子Ｑ８６、スイッチング素子Ｑ８７を有する。そして、維持電極ＳＵ１〜維持電極ＳＵｎに電圧Ｖｅを印加する。
【０２０９】
なお、これらのスイッチング素子は、ＭＯＳＦＥＴやＩＧＢＴ等の一般に知られた素子を用いて構成することができる。またこれらのスイッチング素子は、タイミング発生回路４５で発生したそれぞれのスイッチング素子に対応するタイミング信号により制御される。
【０２１０】
図１１は、本発明の実施の形態１におけるプラズマディスプレイ装置４０のデータ電極駆動回路４２の構成を概略的に示す回路図である。
【０２１１】
なお、データ電極駆動回路４２は、画像信号処理回路４１から供給される画像データおよびタイミング発生回路４５から供給されるタイミング信号にもとづき動作するが、図１１では、それらの信号の経路の詳細は省略する。
【０２１２】
データ電極駆動回路４２は、スイッチング素子Ｑ９１Ｈ１〜スイッチング素子Ｑ９１Ｈｍ、スイッチング素子Ｑ９１Ｌ１〜スイッチング素子Ｑ９１Ｌｍを有する。そしてスイッチング素子Ｑ９１Ｌｊをオンにすることでデータ電極Ｄｊに電圧０（Ｖ）を印加し、スイッチング素子Ｑ９１Ｈｊをオンにすることでデータ電極Ｄｊに電圧Ｖｄを印加する。
【０２１３】
以上示したように、本実施の形態では、「連続した２つ以上の非点灯のサブフィールド」が発生しないテーブル、例えば第１テーブル、を用いてパネル１０に画像を表示するときには、図５に示した第１の駆動電圧波形を発生してパネル１０の各電極に印加し、パネル１０を駆動する。
【０２１４】
また、一度サブフィールドが点灯した後に、連続した２つ以上の非点灯のサブフィールドが発生し、その後のサブフィールドで再度点灯する放電セルが発生する可能性があるとき、すなわち、そのような点灯・非点灯の組合せを有するコーディングがテーブル内に存在するとき、そのテーブル、例えば第２テーブル、を用いてパネル１０に画像を表示するときには、図６に示した第２の駆動電圧波形を発生してパネル１０の各電極に印加し、パネル１０を駆動する。
【０２１５】
すなわち、一度サブフィールドが点灯した後の、連続した２つ以上の非点灯のサブフィールドのうちの時間的に先に発生するサブフィールドを特定サブフィールドとする。そして、特定サブフィールドでは、維持期間における最後の維持パルスの発生後に、ベース電位である電圧０（Ｖ）から第２の所定電圧である電圧Ｖｉ８まで緩やかに下降する第３の下り傾斜波形電圧（下り消去ランプ電圧Ｌ８）を発生して走査電極ＳＣ１〜走査電極ＳＣｎに印加する。
【０２１６】
これにより、あるサブフィールドで放電セルを点灯した後、そのサブフィールドに続く連続した２つ以上のサブフィールドが非点灯となり、その後のサブフィールドで再度その放電セルを点灯するとき、そのサブフィールドで発生するおそれのある書込み不良を防止することができ、プラズマディスプレイ装置における画像表示品質の劣化を防止することができる。
【０２１７】
さらに、維持期間における最後の維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎには、放電開始電圧未満となる電圧０（Ｖ）から、第１の所定電圧である電圧Ｖｒに向かって緩やかに上昇する上り傾斜波形電圧（上り消去ランプ電圧Ｌ３）を印加する。そして、電圧Ｖｒを、電圧Ｖｓよりも低く、かつ、続く書込み期間で誤放電が発生しない電圧に設定する。これにより、高精細度化された大画面のパネル１０を駆動する際にも安定した書込み動作を行い、品質の高い画像をパネル１０に表示することが可能となる。
【０２１８】
（実施の形態２）
実施の形態１では、全セル初期化動作を行う回数を１フィールドに１回にしてパネル１０を駆動する例を説明した。しかし、本発明は何らこの構成に限定されるものではない。例えば、全セル初期化動作を行う回数を複数フィールドに１回にしてパネル１０を駆動する構成にも適用することが可能であり、その場合にも、上述と同様の効果を得ることができる。
【０２１９】
全セル初期化動作を行う回数を複数フィールドに１回にする駆動方法では、１フィールドに１回全セル初期化動作を行う構成と比較して、全セル初期化動作にともなって発生する発光を低減することができ、黒輝度（維持放電を発生しない階調の輝度）を下げ、パネル１０に表示される画像のコントラストを向上することができる。
【０２２０】
以下、全セル初期化動作を行う回数を３フィールドに１回にしてパネル１０を駆動する例を説明する。
【０２２１】
図１２は、本発明の実施の形態２におけるプラズマディスプレイ装置に用いるパネル１０の各電極に印加する第１の駆動電圧波形を示す図である。
【０２２２】
図１２には、書込み期間において最初に書込み動作を行う走査電極ＳＣ１、書込み期間において２番目に書込み動作を行う走査電極ＳＣ２、維持電極ＳＵ１〜維持電極ＳＵｎ、およびデータ電極Ｄ１〜データ電極Ｄｍのそれぞれに印加する駆動電圧波形を示す。
【０２２３】
本実施の形態において、サブフィールドＳＦ１は、強制初期化動作を行う放電セルと強制初期化動作を行わない放電セルとが存在する第１種サブフィールドである。また、サブフィールドＳＦ２からサブフィールドＳＦ５は、全ての放電セルで選択初期化動作を行う第２種サブフィールドである。
【０２２４】
強制初期化動作は、直前のサブフィールドにおける書込み放電（維持放電）の発生の有無にかかわらず放電セルで強制的に初期化放電を発生する初期化動作であり、実施の形態１で説明した全セル初期化動作と同じ初期化動作である。したがって、強制初期化動作で各電極に印加する駆動電圧波形は、全セル初期化期間において各電極に印加する全セル初期化波形に等しい。
【０２２５】
なお、図１２には、サブフィールドＳＦ１の初期化期間において、走査電極ＳＣ１上に形成された放電セルでは強制初期化動作を行い、走査電極ＳＣ２上に形成された放電セルでは強制初期化動作を行わず選択初期化動作を行うときの駆動電圧波形を示す。
【０２２６】
第１種サブフィールドであるサブフィールドＳＦ１の初期化期間の前半部では、データ電極Ｄ１〜データ電極Ｄｍに電圧０（Ｖ）を印加し、維持電極ＳＵ１〜ＳＵｎにも電圧０（Ｖ）を印加する。そして、強制初期化動作を行う走査電極ＳＣ１には、実施の形態１に示した全セル初期化波形と同様の波形形状の駆動電圧波形を印加する。
【０２２７】
これにより、走査電極ＳＣ１上に形成された放電セルにおいては、実施の形態１に示した全セル初期化動作と同様の初期化動作が行われ、直前のサブフィールドにおける書込み放電（維持放電）の発生の有無にかかわらず放電セルに初期化放電が発生する。
【０２２８】
一方、強制初期化動作を行わない走査電極ＳＣ２には、電圧０（Ｖ）から、電圧Ｖｉ２よりも低い電圧Ｖｉ５まで緩やかに上昇する上り傾斜波形電圧（上りランプ電圧Ｌ５）を印加する。電圧Ｖｉ５を放電開始電圧未満の電圧に設定することで、走査電極ＳＣ２上に形成された放電セルでは、初期化放電は発生しない。
【０２２９】
このように、サブフィールドＳＦ１の初期化期間の前半部では、強制初期化動作を行う走査電極２２（例えば、走査電極ＳＣ１）には、直前のサブフィールドにおける書込み放電（維持放電）の発生の有無にかかわらず放電が発生する電圧Ｖｉ２に向かって緩やかに上昇する上り傾斜波形電圧（上りランプ電圧Ｌ１）を印加する。また、強制初期化動作を行わない走査電極２２（例えば、走査電極ＳＣ２）には、電圧Ｖｉ２よりも低い電圧Ｖｉ５に向かって緩やかに上昇する上り傾斜波形電圧（上りランプ電圧Ｌ５）を印加する。
【０２３０】
サブフィールドＳＦ１の初期化期間の後半部では、実施の形態１に示した全セル初期化期間の後半部と同様の波形形状の駆動電圧波形を各電極に印加する。このとき、強制初期化動作を行う走査電極２２に印加する駆動電圧波形と強制初期化動作を行わない走査電極２２に印加する駆動電圧波形とは同じ波形形状である。
【０２３１】
これにより、強制初期化動作を行った放電セル（例えば、走査電極ＳＣ１上に形成された放電セル）では、微弱な初期化放電が発生する。
【０２３２】
一方、強制初期化動作を行わなかった放電セル（例えば、走査電極ＳＣ２上に形成された放電セル）では、直前のサブフィールド、すなわち、直前のフィールドの最終サブフィールド（例えば、サブフィールドＳＦ５）で書込み放電（維持放電）を発生した放電セルだけに、微弱な初期化放電が発生する。直前のサブフィールドで書込み放電（維持放電）を発生しなかった放電セルでは初期化放電は発生せず、それ以前の壁電圧が保持される。
【０２３３】
したがって、強制初期化動作を行わない放電セルにおいて行う初期化動作は選択初期化動作となる。
【０２３４】
このように、第１種サブフィールド（サブフィールドＳＦ１）では、初期化期間において、強制初期化動作を行う放電セルと選択初期化動作を行う放電セルとが混在する。
【０２３５】
そして、強制初期化動作を行う放電セルの走査電極２２には、全セル初期化波形と同じ波形形状の初期化波形を印加する。すなわち、強制初期化動作を行う放電セルの走査電極２２には、上りランプ電圧Ｌ１と下りランプ電圧Ｌ２とを印加する。上りランプ電圧Ｌ１は、直前のサブフィールドにおける書込み放電（維持放電）の発生の有無にかかわらず放電セルに初期化放電が発生する電圧Ｖｉ２まで上昇する上り傾斜波形電圧である。下りランプ電圧Ｌ２は、放電が発生する電圧Ｖｉ４まで下降する下り傾斜波形電圧である。
【０２３６】
また、強制初期化動作を行わない放電セルの走査電極２２には、上りランプ電圧Ｌ５と下りランプ電圧Ｌ２とを印加する。上りランプ電圧Ｌ５は、電圧Ｖｉ２よりも低く放電セルに初期化放電が発生しない電圧Ｖｉ５まで上昇する上り傾斜波形電圧である。下りランプ電圧Ｌ２は、電圧Ｖｉ４まで下降する下り傾斜波形電圧である。
【０２３７】
以下、強制初期化動作を行う期間を「強制初期化期間」と記す。また、強制初期化動作を行うために発生する駆動電圧波形を「強制初期化波形」と記す。
【０２３８】
続くサブフィールドＳＦ１の書込み期間および維持期間における動作は、実施の形態１と同じである。
【０２３９】
すなわち、維持期間における最後の維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎには、放電開始電圧未満となる電圧０（Ｖ）から、第１の所定電圧である電圧Ｖｒに向かって緩やかに上昇する上り傾斜波形電圧（上り消去ランプ電圧Ｌ３）を印加する。そして、電圧Ｖｒを、電圧Ｖｓよりも低く、かつ、続く書込み期間で誤放電が発生しない電圧に設定する。
【０２４０】
続く選択初期化サブフィールドであるサブフィールドＳＦ２は、初期化期間において全ての放電セルで選択初期化動作を行う第２種サブフィールドである。
【０２４１】
サブフィールドＳＦ２の初期化期間（選択初期化期間）では、実施の形態１の選択初期化期間に示した駆動電圧波形と同じ波形形状の駆動電圧波形を各電極に印加してもよい。しかし、走査電極ＳＣ１〜走査電極ＳＣｎに印加する下り傾斜波形電圧の最低電圧を、下りランプ電圧Ｌ２の最低電圧である電圧Ｖｉ４よりも高く設定してもよい。
【０２４２】
本実施の形態においては、選択初期化期間に、走査電極ＳＣ１〜走査電極ＳＣｎに印加する下り傾斜波形電圧の最低電圧を、電圧Ｖｉ４よりも電圧値の高い電圧Ｖｉ６とし、電圧Ｖｉ３’から電圧Ｖｉ６まで下降する第２の下り傾斜波形電圧（以下、「下りランプ電圧Ｌ６」と呼称する）を走査電極ＳＣ１〜走査電極ＳＣｎに印加する例を説明する。
【０２４３】
サブフィールドＳＦ２の初期化期間では、維持電極ＳＵ１〜維持電極ＳＵｎには、電圧Ｖｅよりも電圧値の高い電圧Ｖｈを印加する。走査電極ＳＣ１〜走査電極ＳＣｎには、放電開始電圧未満となる電圧Ｖｉ３’（例えば、電圧０（Ｖ））から放電開始電圧を超える負の電圧Ｖｉ６に向かって緩やかに下降する下り傾斜波形電圧（下りランプ電圧Ｌ６）を印加する。
【０２４４】
この下りランプ電圧Ｌ６の勾配は下りランプ電圧Ｌ２の勾配と同じであってもよく、その一例として、例えば、約−２．５Ｖ／μｓｅｃという数値を挙げることができる。
【０２４５】
そして、走査電極ＳＣ１〜走査電極ＳＣｎに下りランプ電圧Ｌ６を印加する期間は、データ電極Ｄ１〜データ電極Ｄｍに、第１の電圧（電圧０（Ｖ））よりも電圧値の高い第２の電圧（正の電圧Ｖｇ）を印加する。
【０２４６】
下りランプ電圧Ｌ６の最低電圧である電圧Ｖｉ６は、上述したように、下りランプ電圧Ｌ２の最低電圧である電圧Ｖｉ４よりも高く、かつ直前のサブフィールドで書込み放電（維持放電）を発生した放電セルだけに放電が発生する電圧に設定する。このとき、電圧Ｖｇと電圧Ｖｉ６との差分の電圧（放電セルに印加される電圧）が、電圧Ｖｉ４と同程度の電圧になるように電圧Ｖｉ６を設定することが望ましい。
【０２４７】
続くサブフィールドＳＦ２の書込み期間および維持期間における動作は、実施の形態１の図５に示した第１の駆動電圧波形と同じである。
【０２４８】
すなわち、維持期間における最後の維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎには、放電開始電圧未満となる電圧０（Ｖ）から、第１の所定電圧である電圧Ｖｒに向かって緩やかに上昇する上り傾斜波形電圧（上り消去ランプ電圧Ｌ３）を印加する。そして、電圧Ｖｒを、電圧Ｖｓよりも低く、かつ、続く書込み期間で誤放電が発生しない電圧に設定する。
【０２４９】
また、サブフィールドＳＦ３以降の各サブフィールドでは、維持パルスの発生数を除き、各電極に対してサブフィールドＳＦ２と同様の駆動電圧波形を印加する。
【０２５０】
以上が、本実施の形態において、「非発光のサブフィールドが２つ以上連続して発生しない表示用コーディング」を有するコーディングテーブル、例えば、実施の形態１に示した第１テーブル、を用いて画像を表示する際にパネル１０の各電極に印加する第１の駆動電圧波形の概要である。
【０２５１】
図１３は、本発明の実施の形態２におけるプラズマディスプレイ装置に用いるパネル１０の各電極に印加する第２の駆動電圧波形を示す図である。
【０２５２】
図１３には、書込み期間において最初に書込み動作を行う走査電極ＳＣ１、書込み期間において２番目に書込み動作を行う走査電極ＳＣ２、維持電極ＳＵ１〜維持電極ＳＵｎ、およびデータ電極Ｄ１〜データ電極Ｄｍのそれぞれに印加する駆動電圧波形を示す。
【０２５３】
図１３に示す第２の駆動電圧波形は、図１２に示した第１の駆動電圧波形とほぼ同じ波形形状である。ただし、特定のサブフィールド（本実施の形態では、サブフィールドＳＦ２）の維持期間において最後の維持パルスを発生した後の駆動電圧波形が、第１の駆動電圧波形とは異なる。
【０２５４】
すなわち、実施の形態１の図６に示した第２の駆動電圧波形と同様に、本実施の形態における第２の駆動電圧波形でも、特定のサブフィールドであるサブフィールドＳＦ２の維持期間において、最後の維持パルスの発生後に、維持電極ＳＵ１〜維持電極ＳＵｎおよびデータ電極Ｄ１〜データ電極Ｄｍには電圧０（Ｖ）を印加したまま、ベース電位であり放電開始電圧未満となる電圧０（Ｖ）から第２の所定電圧である電圧Ｖｉ８まで緩やかに下降する第３の下り傾斜波形電圧（下り消去ランプ電圧Ｌ８）を発生して走査電極ＳＣ１〜走査電極ＳＣｎに印加する。
【０２５５】
以上が、本実施の形態において、「非発光のサブフィールドが２つ連続して発生する表示用コーディング」を有するコーディングテーブル、例えば、実施の形態１に示した第２テーブル、を用いて画像を表示する際にパネル１０の各電極に印加する第２の駆動電圧波形の概要である。
【０２５６】
なお、本実施の形態において各電極に印加する電圧の大きさは、例えば、電圧Ｖｉ１＝１５０（Ｖ）、電圧Ｖｉ２＝３５０（Ｖ）、電圧Ｖｉ３＝２１５（Ｖ）、電圧Ｖｉ３’＝０（Ｖ）、電圧Ｖｉ４＝−１７５（Ｖ）、電圧Ｖｉ８＝−１７５（Ｖ）、電圧Ｖｉ５＝２００（Ｖ）、電圧Ｖｉ６＝−１２０（Ｖ）、電圧Ｖｃ＝−５０（Ｖ）、電圧Ｖａ＝−２００（Ｖ）、電圧Ｖｓ＝２１５（Ｖ）、電圧Ｖｒ＝２００（Ｖ）、電圧Ｖｅ＝１７０（Ｖ）、電圧Ｖｄ＝５５（Ｖ）、電圧Ｖｈ＝２１５（Ｖ）、電圧Ｖｇ＝５５（Ｖ）である。ただし、これらの電圧値は、実施の形態における一例を挙げたものに過ぎない。各電圧値は上述した値に限定されるものではなく、パネル１０の特性やプラズマディスプレイ装置の仕様等に合わせて、適宜最適な値に設定することが望ましい。
【０２５７】
次に、強制初期化波形を印加する走査電極２２とフィールドとの関係について説明する。
【０２５８】
本実施の形態においては、各フィールドのそれぞれに対して強制初期化波形を印加する走査電極２２を以下の規則にもとづき設定する。
【０２５９】
すなわち、時間的に連続するＮフィールド（Ｎは自然数）を１つのフィールド群とし、連続して配置されたＮ本の走査電極２２を１つの走査電極群とする。例えば、時間的に連続する３つのフィールドを１つのフィールド群とし、連続して配置された３本の走査電極２２を１つの走査電極群とする。
【０２６０】
そして、１つの走査電極群を構成する各走査電極２２には、１つのフィールド群でそれぞれ１回ずつ強制初期化波形を印加する。
【０２６１】
また、１つのフィールド群を構成するそれぞれのフィールドでは、１つのフィールドで、それぞれの走査電極群の１つの走査電極２２だけに強制初期化波形を印加する。したがって、例えば、走査電極２２の数が１０８０本であり、走査電極群の数が３６０であれば、１つのフィールドで強制初期化波形を印加する走査電極２２の数は３６０本になる。そして、次のフィールドで他の３６０本の走査電極２２に強制初期化波形を印加し、３つ目のフィールドで残りの３６０本の走査電極２２に強制初期化波形を印加することになる。
【０２６２】
そして、強制初期化波形を印加する走査電極２２に隣接する走査電極２２には、強制初期化波形を印加しないように、強制初期化波形を印加する走査電極２２を設定する。
【０２６３】
図１４は、本発明の実施の形態２において強制初期化波形を印加する走査電極２２とフィールドとの関係を概略的に示す図である。
【０２６４】
図１４において、横方向のマスはフィールドを現し、縦方向のマスは走査電極２２を表す。また、図１４には、Ｎ＝３の例、すなわち、時間的に連続する３つのフィールドで１つのフィールド群を構成し、配置的に連続する３本の走査電極２２で１つの走査電極群を構成する例を示す。
【０２６５】
また、図１４には、フィールドＦｊ〜フィールドＦｊ＋２、フィールドＦｊ＋３〜フィールドＦｊ＋５、フィールドＦｊ＋６〜フィールドＦｊ＋８、フィールドＦｊ＋９〜フィールドＦｊ＋１１、のそれぞれがフィールド群を構成し、走査電極ＳＣｉ〜走査電極ＳＣｉ＋２、走査電極ＳＣｉ＋３〜走査電極ＳＣｉ＋５、走査電極ＳＣｉ＋６〜走査電極ＳＣｉ＋８、のそれぞれが走査電極群を構成している例を示す。
【０２６６】
また、図１４において、「○」は、サブフィールドＳＦ１の初期化期間において強制初期化動作を行うことを表す。すなわち、「○」は、サブフィールドＳＦ１の初期化期間において、上りランプ電圧Ｌ１と下りランプ電圧Ｌ２とを有する強制初期化波形を走査電極２２に印加することを表す。「×」は、サブフィールドＳＦ１の初期化期間において強制初期化動作を行わないことを表す。すなわち、「×」は、サブフィールドＳＦ１の初期化期間において、上りランプ電圧Ｌ５と下りランプ電圧Ｌ２とを有する初期化波形を走査電極２２に印加することを表す。
【０２６７】
図１４から明らかなように、１つの走査電極群を構成する各走査電極２２には、１つのフィールド群でそれぞれ１回ずつ強制初期化波形を印加している。
【０２６８】
例えば、走査電極ＳＣｉには、フィールドＦｊ、フィールドＦｊ＋３、フィールドＦｊ＋６、フィールドＦｊ＋９、・・・、のそれぞれで強制初期化波形を印加している。これは、他の走査電極２２についても同様である。
【０２６９】
これにより、毎フィールドに１回ずつ強制初期化動作を行う場合と比較して、強制初期化動作を行う回数が３分の１に低減される。したがって、強制初期化動作によって生じる発光の回数も３分の１となり、表示画像の黒輝度もその分だけ低減することができる。
【０２７０】
また、１つのフィールド群を構成するそれぞれのフィールドでは、１つのフィールドで、それぞれの走査電極群の１つの走査電極２２だけに強制初期化波形を印加している。
【０２７１】
例えば、フィールドＦｊでは、走査電極ＳＣｉ、走査電極ＳＣｉ＋３、走査電極ＳＣｉ＋６、・・・、に強制初期化波形を印加し、フィールドＦｊ＋１では、走査電極ＳＣｉ＋１、走査電極ＳＣｉ＋４、走査電極ＳＣｉ＋７、・・・、に強制初期化波形を印加し、フィールドＦｊ＋２では、走査電極ＳＣｉ＋２、走査電極ＳＣｉ＋５、走査電極ＳＣｉ＋８、・・・、に強制初期化波形を印加している。これは、他のフィールドについても同様である。
【０２７２】
これにより、強制初期化波形を印加する走査電極２２を各フィールドに分散できるので、フリッカー（表示画像に表れるちらつきのこと）を低減することができる。
【０２７３】
また、強制初期化波形を印加する走査電極２２に隣接する走査電極２２には、強制初期化波形を印加していない。
【０２７４】
例えば、フィールドＦｊで、走査電極ＳＣｉ＋３には強制初期化波形を印加し、走査電極ＳＣｉ＋３に隣接する走査電極ＳＣｉ＋２および走査電極ＳＣｉ＋４には強制初期化波形を印加していない。これは、他の走査電極２２についても同様である。
【０２７５】
これにより、強制初期化波形を印加する走査電極２２の時間的連続性および空間的連続性を低減できるので、強制初期化動作にともなう発光を使用者に認識されにくくすることができる。
【０２７６】
このように本実施の形態においては、放電セルのそれぞれにおいて、連続する複数のフィールドのうちの１つのフィールドだけで強制初期化動作を行う。これにより、強制初期化動作を行う回数を複数フィールドに１回とし、強制初期化動作にともなって発生する階調表示に関係しない発光を低減して黒輝度を低下し、コントラストの高い画像をパネル１０に表示することができる。
【０２７７】
なお、強制初期化動作には、続く書込み期間において書込み放電を発生するために必要な壁電荷を放電セル内に蓄積する働きがある。さらに、放電遅れ時間を短くし書込み放電を安定に発生するために必要なプライミング粒子を発生する働きがある。
【０２７８】
そのため、単に強制初期化動作の回数を低減すると、続く書込み期間において、書込みパルスを印加した放電セルで書込み放電が発生しない書込み不良が生じる可能性が高くなる。あるいは、書込み放電の放電遅れ時間が長くなりすぎて書込み動作が不安定になる等の可能性が高くなる。これにより、正常に画像を表示することができなくなるおそれがある。
【０２７９】
しかしながら、本実施の形態においては、選択初期化動作を行う第２種サブフィールド（例えば、サブフィールドＳＦ２からサブフィールドＳＦ５）の初期化期間において、データ電極Ｄ１〜データ電極Ｄｍに第１の電圧（電圧０（Ｖ））よりも高い第２の電圧（電圧Ｖｇ）を印加する。
【０２８０】
さらに、走査電極ＳＣ１〜走査電極ＳＣｎに印加する下り傾斜波形電圧（下りランプ電圧Ｌ６）の最低電圧（電圧Ｖｉ６）を、第１種サブフィールドであるサブフィールドＳＦ１の初期化期間において走査電極ＳＣ１〜走査電極ＳＣｎに印加する下り傾斜波形電圧（下りランプ電圧Ｌ２）の最低電圧（電圧Ｖｉ４）よりも高く設定する。
【０２８１】
これにより、強制初期化動作の回数を低減した本実施の形態における駆動方法においても、書込み放電を安定に発生することができる。これは、次のような理由による。
【０２８２】
まず、第１種サブフィールド（サブフィールドＳＦ１）の初期化期間において、データ電極Ｄ１〜データ電極Ｄｍに正の電圧Ｖｇを印加しない理由について説明する。
【０２８３】
第１種サブフィールド（サブフィールドＳＦ１）の初期化期間では強制初期化動作を行う放電セルが存在する。すなわち、初期化期間の前半部において、直前のサブフィールドにおける書込み放電（維持放電）の発生の有無にかかわらず放電が発生する電圧Ｖｉ２に向かって上昇する上り傾斜波形電圧（上りランプ電圧Ｌ１）を印加して強制的に初期化放電を発生する放電セルが存在する。
【０２８４】
このような放電セルのデータ電極３２上には、正極性の高い壁電圧が蓄積する。そして、データ電極３２上に正極性の高い壁電圧が蓄積した放電セルに、さらに正の電圧Ｖｇをデータ電極Ｄ１〜データ電極Ｄｍに印加すると、走査電極２２とデータ電極３２との間の電圧差が大きくなりすぎてしまい、初期化期間の後半部に強い放電が発生するおそれが高くなる。そして、初期化期間の後半部に強い放電が発生すると、その放電セルでは壁電荷およびプライミング粒子が過剰になり、続く書込み期間で誤放電を発生する確率が高くなる。
【０２８５】
本実施の形態では、このような現象が発生しないように、強制初期化動作を行う放電セルが存在する第１種サブフィールド（サブフィールドＳＦ１）の初期化期間では、データ電極３２に正の電圧Ｖｇを印加しない。
【０２８６】
一方、強制初期化動作を行う回数を低減すると、各放電セルの壁電圧のばらつきが大きくなる可能性がある。
【０２８７】
そして、データ電極３２上の壁電圧が減少した放電セルでは、走査電極２２とデータ電極３２との間の放電が発生しにくくなり、初期化放電が発生しにくくなる。
【０２８８】
しかしながら、本願発明者は、選択初期化動作を行う際にデータ電極Ｄ１〜データ電極Ｄｍに正の電圧を印加することで、選択初期化動作を行う放電セルで安定に初期化放電を発生し、データ電極Ｄｋ上の壁電圧を精度よくそろえることができることを実験的に確認した。これは、データ電極Ｄ１〜データ電極Ｄｍに正の電圧を印加することで、走査電極２２とデータ電極３２との間の放電が安定に発生しやすくなるためと思われる。
【０２８９】
そこで、本実施の形態においては、選択初期化動作を行う第２種サブフィールド（サブフィールドＳＦ２からサブフィールドＳＦ５）の初期化期間において、データ電極Ｄ１〜データ電極Ｄｍに正の電圧Ｖｇを印加するものとする。
【０２９０】
なお、放電セルに発生する初期化放電の放電強度を、下りランプ電圧Ｌ２によって発生する放電と同程度にするために、電圧Ｖｉ６と第２の電圧（電圧Ｖｇ）との電圧差が、電圧Ｖｉ４と第１の電圧（電圧０（Ｖ））との電圧差とほぼ等しくなるように各電圧を設定することが望ましい。これにより、強制初期化動作後の書込み期間における書込み放電と、選択初期化動作後の書込み期間における書込み放電とを、同程度の放電強度にすることができる。
【０２９１】
なお、維持電極ＳＵ１〜維持電極ＳＵｎに電圧Ｖｅよりも高い電圧Ｖｈを印加するのは、電圧Ｖｉ６を電圧Ｖｉ４よりも高くすることで、走査電極２２と維持電極２３との間に放電が発生しにくくなることを防止するためである。
【０２９２】
本実施の形態では、このようにしてデータ電極Ｄｋ上の壁電圧を精度よく調整することにより、強制初期化動作の回数を削減しつつ書込み放電を安定に発生することを可能にしている。
【０２９３】
次に、本実施の形態における駆動電圧波形を発生する回路の、第１種サブフィールド（サブフィールドＳＦ１）から第２種サブフィールド（サブフィールドＳＦ２）にかけての動作について説明する。
【０２９４】
なお、本実施の形態で用いる走査電極駆動回路、維持電極駆動回路、データ電極駆動回路は、実施の形態１で説明した走査電極駆動回路４３、維持電極駆動回路４４、データ電極駆動回路４２と同じ構成であるので、各回路の構成については説明を省略する。
【０２９５】
本実施の形態では、図１２、図１３に示した駆動電圧波形において、電圧Ｖｉ１は電圧Ｖｐに等しく、電圧Ｖｉ２は電圧（Ｖｔ＋Ｖｐ）に等しく、電圧Ｖｉ３は電圧Ｖｓに等しく、電圧Ｖｃは電圧（Ｖａ＋Ｖｐ）に等しいものとする。これは、図５、図６に示した駆動電圧波形においても同様である。
【０２９６】
また、図１２、図１３に示した駆動電圧波形において、電圧Ｖｉ５は電圧Ｖｔに等しく、電圧Ｖｇは電圧Ｖｄに等しく、電圧Ｖｈは電圧Ｖｓに等しいものとする。しかし、これらの電圧は上記した数値に限定されるものではなく、パネル１０の特性やプラズマディスプレイ装置の仕様等に応じて適宜設定することが望ましい。
【０２９７】
図１５は、本発明の実施の形態２におけるプラズマディスプレイ装置の駆動回路の動作を説明するためのタイミングチャートである。
【０２９８】
なお、図１５では、走査電極ＳＣ１〜走査電極ＳＣｎのうち、強制初期化波形を印加する走査電極２２を走査電極ＳＣｘで示し、強制初期化波形を印加しない走査電極２２を走査電極ＳＣｙで示した。
【０２９９】
また、図１５では、スイッチング素子Ｑ７１Ｈ１〜スイッチング素子Ｑ７１Ｈｎのうち、走査電極ＳＣｘに対応するスイッチング素子をスイッチング素子Ｑ７１Ｈｘで示し、走査電極ＳＣｙに対応するスイッチング素子をスイッチング素子Ｑ７１Ｈｙで示した。同様にスイッチング素子Ｑ７１Ｌ１〜スイッチング素子Ｑ７１Ｌｎのうち、走査電極ＳＣｘに対応するスイッチング素子をスイッチング素子Ｑ７１Ｌｘで示し、走査電極ＳＣｙに対応するスイッチング素子をスイッチング素子Ｑ７１Ｌｙで示した。
【０３００】
サブフィールドＳＦ１の初期化期間の前半部では、まず走査電極駆動回路４３のスイッチング素子Ｑ５６をオンにして走査電極ＳＣｘ、走査電極ＳＣｙに電圧０（Ｖ）を印加する。
【０３０１】
次に、スイッチング素子Ｑ５６をオフにするとともに、強制初期化波形を印加する走査電極ＳＣｘに対しては、スイッチング素子Ｑ７１Ｌｘをオフにし、スイッチング素子Ｑ７１Ｈｘをオンにして、電圧Ｖｐを印加する。一方、強制初期化動作を行わない走査電極ＳＣｙに対しては、電圧０（Ｖ）を印加したままとする。
【０３０２】
次に、ミラー積分回路６１の入力端子ＩＮ６１に一定の電圧を印加して、基準電位Ａの電圧を電圧Ｖｔまで緩やかに上昇させる。強制初期化波形を印加する走査電極ＳＣｘには、基準電位Ａに電圧Ｖｐを重畳した電圧が印加されるので、この走査電極ＳＣｘに、電圧Ｖｐから電圧（Ｖｔ＋Ｖｐ）まで緩やかに上昇する上り傾斜波形電圧（上りランプ電圧Ｌ１）を印加することができる。
【０３０３】
一方、強制初期化波形を印加しない走査電極ＳＣｙには基準電位Ａが印加されるので、この走査電極ＳＣｙに、電圧０（Ｖ）から電圧Ｖｔまで緩やかに上昇する上り傾斜波形電圧（上りランプ電圧Ｌ５）を印加することができる。
【０３０４】
続くサブフィールドＳＦ１の初期化期間の後半部では、維持電極駆動回路４４のスイッチング素子Ｑ８４をオフにし、スイッチング素子Ｑ８６およびスイッチング素子Ｑ８７をオンにして、維持電極ＳＵ１〜維持電極ＳＵｎに電圧Ｖｅを印加する。
【０３０５】
そして、走査電極駆動回路４３のスイッチング素子Ｑ７１Ｈｘをオフにし、スイッチング素子Ｑ７１Ｌｘをオンにするとともに、スイッチング素子Ｑ５５およびスイッチング素子Ｑ５９をオンにして、走査電極ＳＣｘ、走査電極ＳＣｙに電圧Ｖｓを印加する。
【０３０６】
その後、スイッチング素子Ｑ６９をオフにするとともにミラー積分回路６３の入力端子ＩＮ６３に一定の電圧を印加してミラー積分回路６３を動作させ、走査電極ＳＣｘ、走査電極ＳＣｙに電圧Ｖｉ３から電圧Ｖｉ４まで緩やかに下降する下り傾斜波形電圧（下りランプ電圧Ｌ２）を印加する。
【０３０７】
サブフィールドＳＦ１の書込み期間では、走査電極駆動回路４３のミラー積分回路６３のトランジスタＱ６３をオフにし、スイッチング素子Ｑ７２をオンにして、基準電位Ａの電圧を電圧Ｖａにする。そして、スイッチング素子Ｑ７１Ｌｘおよびスイッチング素子Ｑ７１Ｌｙをオフにし、スイッチング素子Ｑ７１Ｈｘおよびスイッチング素子Ｑ７１Ｈｙをオンにして、走査電極ＳＣｘおよび走査電極ＳＣｙに電圧（Ｖａ＋Ｖｐ）、すなわち電圧Ｖｃを印加する。
【０３０８】
次に、スイッチング素子Ｑ７１Ｈ１をオフにし、スイッチング素子Ｑ７１Ｌ１をオンにして、電圧Ｖｃから電圧Ｖａに変位する走査パルスを走査電極ＳＣ１に印加する。
【０３０９】
また、データ電極駆動回路４２のスイッチング素子Ｑ９１Ｌ１〜スイッチング素子Ｑ９１Ｌｍをオンにし、スイッチング素子Ｑ９１Ｈ１〜スイッチング素子Ｑ９１Ｈｍをオフにして、データ電極Ｄ１〜データ電極Ｄｍに電圧０（Ｖ）を印加する。
【０３１０】
そして、走査電極ＳＣ１に走査パルスを印加するタイミングで、画像データにもとづき、書込みパルスを印加するデータ電極Ｄｊに対して、スイッチング素子Ｑ９１Ｌｊをオフにし、スイッチング素子Ｑ９１Ｈｊをオンにして、電圧０（Ｖ）から電圧Ｖｄに変位する書込みパルスをデータ電極Ｄｊに印加する。
【０３１１】
一定の時間の後（１行目における書込み動作終了後）、スイッチング素子Ｑ７１Ｈ１をオンにし、スイッチング素子Ｑ７１Ｌ１をオフにして、走査電極ＳＣ１への印加電圧を電圧Ｖｃに戻す。それと同時に、スイッチング素子Ｑ９１Ｌｊをオンにし、スイッチング素子Ｑ９１Ｈｊをオフにして、データ電極Ｄｊへの印加電圧を電圧０（Ｖ）に戻す。このようにして、走査電極ＳＣ１に走査パルスを印加し、データ電極Ｄｊに書込みパルスを印加する。
【０３１２】
引き続き、走査電極ＳＣ２に対して、上述と同様の動作を行い、走査電極ＳＣ２に走査パルスを印加し、データ電極Ｄｊに書込みパルスを印加する。
【０３１３】
なお、図１５には、走査電極ＳＣｘに走査パルスを印加し、その後、走査電極ＳＣｙに走査パルスを印加する例を示す。
【０３１４】
以下同様に、走査電極ＳＣｎに至るまで、走査パルスを順次走査電極２２に印加し、書込みパルスをデータ電極Ｄｊに印加する。
【０３１５】
その後、スイッチング素子Ｑ７２、スイッチング素子Ｑ７１Ｈｘ、スイッチング素子Ｑ７１Ｈｙをそれぞれオフにし、スイッチング素子Ｑ５６、スイッチング素子Ｑ６９、スイッチング素子Ｑ７１Ｌｘ、スイッチング素子Ｑ７１Ｌｙをそれぞれオンにして、走査電極ＳＣｘ、走査電極ＳＣｙに電圧０（Ｖ）を印加する。こうして、書込み期間が終了する。
【０３１６】
サブフィールドＳＦ１の維持期間では、走査電極駆動回路４３の維持パルス発生回路５０、および維持電極駆動回路４４の維持パルス発生回路８０を用いて、走査電極ＳＣ１〜走査電極ＳＣｎ、および維持電極ＳＵ１〜維持電極ＳＵｎに、輝度重みに応じた数の維持パルスをそれぞれ印加する。
【０３１７】
そして、その維持期間における全ての維持パルスを発生した後に、走査電極駆動回路４３のスイッチング素子Ｑ５６をオフにする。それとともに、ミラー積分回路６２の入力端子ＩＮ６２に一定の電圧を印加してミラー積分回路６２を動作させ、走査電極ＳＣ１〜走査電極ＳＣｎに、電圧Ｖｒまで緩やかに上昇する上り傾斜波形電圧を印加する。なお、この電圧Ｖｒは電圧Ｖｓよりも低い電圧（例えば、電圧Ｖｒ＝電圧Ｖｓ−１５（Ｖ））である。
【０３１８】
サブフィールドＳＦ２の初期化期間では、データ電極駆動回路４２のスイッチング素子Ｑ９１Ｌ１〜スイッチング素子Ｑ９１Ｌｍをオフにし、スイッチング素子Ｑ９１Ｈ１〜スイッチング素子Ｑ９１Ｈｍをオンにして、データ電極Ｄ１〜データ電極Ｄｍに正の電圧Ｖｄ、すなわち、電圧Ｖｇを印加する。
【０３１９】
また、維持電極駆動回路４４のスイッチング素子Ｑ８４をオフにし、スイッチング素子Ｑ８３をオンにして、維持電極ＳＵ１〜維持電極ＳＵｎに電圧Ｖｓ、すなわち、電圧Ｖｈを印加する。
【０３２０】
そして、走査電極駆動回路４３のスイッチング素子Ｑ７１Ｌ１〜スイッチング素子Ｑ７１Ｌｎをオンにし、スイッチング素子Ｑ７１Ｈ１〜スイッチング素子Ｑ７１Ｈｎをオフにしたまま、ミラー積分回路６３の入力端子ＩＮ６３に一定の電圧を印加する。こうしてミラー積分回路６３を動作させ、走査電極ＳＣ１〜走査電極ＳＣｎに下り傾斜波形電圧を印加する。
【０３２１】
走査電極ＳＣ１〜走査電極ＳＣｎに印加する下り傾斜波形電圧が電圧Ｖｉ６に達したら、入力端子ＩＮ６３に印加していた電圧を停止する。こうして、電圧Ｖｉ３’（電圧０（Ｖ））から電圧Ｖｉ６まで緩やかに下降する下り傾斜波形電圧（下りランプ電圧Ｌ６）を走査電極ＳＣ１〜走査電極ＳＣｎに印加する。
【０３２２】
続くサブフィールドＳＦ２の書込み期間および維持期間の動作はサブフィールドＳＦ１の書込み期間および維持期間と同様である。
【０３２３】
なお、下り消去ランプ電圧Ｌ８を発生するときには、サブフィールドＳＦ２の初期化期間において下り傾斜波形電圧を発生するときと同様の手順で、電圧Ｖｉ８まで緩やかに下降する下り傾斜波形電圧を発生すればよい。
【０３２４】
このようにして、本実施の形態においては、データ電極駆動回路４２、走査電極駆動回路４３および維持電極駆動回路４４を用いて図１２、図１３に示した駆動電圧波形を発生し、データ電極Ｄ１〜データ電極Ｄｍ、走査電極ＳＣ１〜走査電極ＳＣｎおよび維持電極ＳＵ１〜維持電極ＳＵｎのそれぞれに印加することができる。
【０３２５】
そして、第１種サブフィールドの初期化期間において走査電極２２に下り傾斜波形電圧を印加するとともにデータ電極３２に第１の電圧（電圧０（Ｖ））を印加する。また、第２種サブフィールドの初期化期間において走査電極に下り傾斜波形電圧を印加するとともにデータ電極に第１の電圧よりも高い第２の電圧（電圧Ｖｇ）を印加する。こうすることにより、強制初期化動作の回数を削減して黒輝度を抑えるとともに安定した書込み動作を行うことができる。
【０３２６】
このように、本実施の形態では、強制初期化動作を行う回数を複数フィールドに１回にすることで、１フィールドに１回強制初期化動作を行う構成と比較して、強制初期化動作にともない発生する発光を減らすことができる。これにより、黒輝度（維持放電を発生しない階調の輝度）を下げ、パネル１０に表示される画像のコントラストを向上することができる。
【０３２７】
そして、実施の形態１と同様に、「連続した２つ以上の非点灯のサブフィールド」が発生しないテーブル、例えば、実施の形態１に示した第１テーブルを用いてパネル１０に画像を表示するときには、図１２に示した第１の駆動電圧波形を発生してパネル１０の各電極に印加し、パネル１０を駆動する。
【０３２８】
また、一度サブフィールドが点灯した後に、連続した２つ以上の非点灯のサブフィールドが発生し、その後のサブフィールドで再度点灯する放電セルが発生する可能性があるとき、すなわち、そのような点灯・非点灯の組合せを有するコーディングがテーブル内に存在するとき、そのテーブル、例えば実施の形態１に示した第２テーブル、を用いてパネル１０に画像を表示するときには、図１３に示した第２の駆動電圧波形を発生してパネル１０の各電極に印加し、パネル１０を駆動する。
【０３２９】
すなわち、一度サブフィールドが点灯した後の、連続した２つ以上の非点灯のサブフィールドのうちの時間的に先に発生するサブフィールドを特定サブフィールドとする。そして、特定サブフィールドでは、維持期間における最後の維持パルスの発生後に、ベース電位である電圧０（Ｖ）から第２の所定電圧である電圧Ｖｉ８まで緩やかに下降する第３の下り傾斜波形電圧（下り消去ランプ電圧Ｌ８）を発生して走査電極ＳＣ１〜走査電極ＳＣｎに印加する。
【０３３０】
これにより、あるサブフィールドで放電セルを点灯した後、そのサブフィールドに続く連続した２つ以上のサブフィールドが非点灯となり、その後のサブフィールドで再度その放電セルを点灯するとき、そのサブフィールドで発生するおそれのある書込み不良を防止することができ、プラズマディスプレイ装置における画像表示品質の劣化を防止することができる。
【０３３１】
さらに、維持期間における最後の維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎには、放電開始電圧未満となる電圧０（Ｖ）から、第１の所定電圧である電圧Ｖｒに向かって緩やかに上昇する上り傾斜波形電圧（上り消去ランプ電圧Ｌ３）を印加する。そして、電圧Ｖｒを、電圧Ｖｓよりも低く、かつ、続く書込み期間で誤放電が発生しない電圧に設定する。これにより、高精細度化された大画面のパネル１０を駆動する際にも安定した書込み動作を行い、品質の高い画像をパネル１０に表示することが可能となる。
【０３３２】
なお、本実施の形態では、各放電セルにおいて３フィールドに１回の割合で強制初期化動作を行う構成を説明したが、本発明は何らこの構成に限定されるものではない。強制初期化動作を行う回数をどのように設定するかは、パネル１０の特性やプラズマディスプレイ装置の仕様、および、パネル１０に表示する画像のコントラスト比の設定等に応じて適宜設定することが望ましい。
【０３３３】
なお、本実施の形態では、第１種サブフィールドの初期化期間の前半部において、強制初期化動作を行わない走査電極２２に上りランプ電圧Ｌ５を印加する構成を説明したが、本発明は何らこの構成に限定されるものではない。第１種サブフィールドの初期化期間の前半部において、強制初期化動作を行わない走査電極２２に印加する電圧は、その走査電極２２上に形成された放電セルに放電が発生しない電圧であればよく、例えば、電圧０（Ｖ）の固定電圧などであってもよい。
【０３３４】
（実施の形態３）
実施の形態１および実施の形態２では、全てのサブフィールドで、上り消去ランプ電圧Ｌ３の最大電圧を電圧Ｖｓよりも低い電圧Ｖｒに設定する構成を説明した。しかし、本発明は何らこの構成に限定されるものではなく、電圧Ｖｓ以上の電圧まで上昇する上り消去ランプ電圧を発生する構成としてもかまわない。
【０３３５】
本願発明者は、１フィールドの最終サブフィールドに関しては、上り消去ランプ電圧Ｌ３に代えて、電圧Ｖｓ以上の電圧まで上昇する上り傾斜波形電圧を走査電極ＳＣ１〜走査電極ＳＣｎに印加することで、書込み動作をさらに安定に発生できることを確認した。
【０３３６】
これは、維持期間に発生する維持パルスの数が多いサブフィールドに関しては、維持動作で発生する壁電荷およびプライミングが過剰となるため、消去動作を比較的大きくする方が、それ以降の動作が安定するためと考えられる。
【０３３７】
そこで、本実施の形態では、１フィールドの最終サブフィールドのみ、電圧Ｖｓ以上の電圧Ｖｒ２に向かって上昇する上り消去ランプ電圧Ｌ７を発生し、走査電極ＳＣ１〜走査電極ＳＣｎに印加するものとする。
【０３３８】
図１６は、本発明の実施の形態３におけるプラズマディスプレイ装置に用いるパネル１０の各電極に印加する第１の駆動電圧波形の一例を示す図である。
【０３３９】
図１７は、本発明の実施の形態３におけるプラズマディスプレイ装置に用いるパネル１０の各電極に印加する第２の駆動電圧波形の一例を示す図である。
【０３４０】
図１６、図１７には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【０３４１】
図１６に示す第１の駆動電圧波形は、図５に示した第１の駆動電圧波形とほぼ同じ波形形状である。ただし、最終サブフィールド（サブフィールドＳＦ５）の維持期間の最後に、上り消去ランプ電圧Ｌ３に代えて上り消去ランプ電圧Ｌ７を発生する点が、図５に示した第１の駆動電圧波形とは異なる。
【０３４２】
図１７に示す第２の駆動電圧波形は、図６に示した第２の駆動電圧波形とほぼ同じ波形形状である。ただし、最終サブフィールド（サブフィールドＳＦ５）の維持期間の最後に、上り消去ランプ電圧Ｌ３に代えて上り消去ランプ電圧Ｌ７を発生する点が、図６に示した第２の駆動電圧波形とは異なる。
【０３４３】
図１８は、本発明の実施の形態３におけるプラズマディスプレイ装置に用いるパネル１０の各電極に印加する第１の駆動電圧波形の他の一例を示す図である。
【０３４４】
図１９は、本発明の実施の形態３におけるプラズマディスプレイ装置に用いるパネル１０の各電極に印加する第２の駆動電圧波形の他の一例を示す図である。
【０３４５】
図１８、図１９には、書込み期間において最初に書込み動作を行う走査電極ＳＣ１、書込み期間において２番目に書込み動作を行う走査電極ＳＣ２、維持電極ＳＵ１〜維持電極ＳＵｎ、およびデータ電極Ｄ１〜データ電極Ｄｍのそれぞれに印加する駆動電圧波形を示す。
【０３４６】
図１８に示す第１の駆動電圧波形は、図１２に示した第１の駆動電圧波形とほぼ同じ波形形状である。ただし、最終サブフィールド（サブフィールドＳＦ５）の維持期間の最後に、上り消去ランプ電圧Ｌ３に代えて上り消去ランプ電圧Ｌ７を発生する点が、図１２に示した第１の駆動電圧波形とは異なる。
【０３４７】
図１９に示す第２の駆動電圧波形は、図１３に示した第２の駆動電圧波形とほぼ同じ波形形状である。ただし、最終サブフィールド（サブフィールドＳＦ５）の維持期間の最後に、上り消去ランプ電圧Ｌ３に代えて上り消去ランプ電圧Ｌ７を発生する点が、図１３に示した第２の駆動電圧波形とは異なる。
【０３４８】
図１６、図１７、図１８、図１９に示した上り消去ランプ電圧Ｌ７は、上り消去ランプ電圧Ｌ３と同じ勾配で、電圧Ｖｓ以上の電圧Ｖｒ２まで上昇する上り傾斜波形電圧である。本実施の形態では、例えば、電圧Ｖｒ２を約２５５（Ｖ）に設定する。
【０３４９】
なお、実施の形態では、本願発明者の行った実験にもとづき、電圧Ｖｒ２を、電圧Ｖｓ＋０（Ｖ）から電圧Ｖｓ＋６０（Ｖ）の範囲で設定するものとする。
【０３５０】
これは、上り消去ランプ電圧Ｌ７は維持放電を発生した放電セルにおいて微弱な放電を発生するが、電圧Ｖｒ２をこの上限よりも大きい値に設定すると、上り消去ランプ電圧Ｌ７による放電が過剰となり、この放電による微弱発光が大きくなって、黒の輝度（維持放電を発生しない放電セルが発生する輝度）が上昇し、表示画像のコントラストを損なうおそれがあるためである。
【０３５１】
このように、本実施の形態においては、最終サブフィールド（サブフィールドＳＦ５）の維持期間においては、維持期間における最後の維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎには、放電開始電圧未満となる電圧０（Ｖ）から、電圧Ｖｓ以上の電圧Ｖｒ２に向かって緩やかに上昇する上り傾斜波形電圧（上り消去ランプ電圧Ｌ７）を印加する。
【０３５２】
そして、最終サブフィールドを除くサブフィールドにおいては、実施の形態１、実施の形態２と同様に、維持期間における最後の維持パルスの発生後に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎには、放電開始電圧未満となる電圧０（Ｖ）から、第１の所定電圧である電圧Ｖｒに向かって緩やかに上昇する上り傾斜波形電圧（上り消去ランプ電圧Ｌ３）を印加する。電圧Ｖｒは、電圧Ｖｓよりも低く、かつ、続く維持期間で誤放電が発生しない電圧に設定する。
【０３５３】
これにより、書込み動作および維持動作をより安定に行い、パネル１０における画像表示品質をさらに向上することが可能となる。
【０３５４】
なお、回路の構成上、電圧Ｖｒ２まで上昇する上り消去ランプ電圧Ｌ７を発生できない場合、上り消去ランプ電圧Ｌ７の代替波形を１フィールドの最終サブフィールドで走査電極ＳＣ１〜走査電極ＳＣｎに印加して、上述と同様の動作を実現することも可能である。
【０３５５】
図２０は、本発明の実施の形態３における１フィールドの最終サブフィールドの維持期間で消去動作をするために発生する上り傾斜波形電圧の波形形状の他の例を示す図である。
【０３５６】
なお、図２０には、比較のために、上り消去ランプ電圧Ｌ７を併記する。
【０３５７】
例えば、ミラー積分回路６２では、電圧Ｖｒまでの上り傾斜波形電圧しか発生できない。そこで、ミラー積分回路６２の入力端子ＩＮ６２に一定の電圧を印加してミラー積分回路６２を動作させ、走査電極ＳＣ１〜走査電極ＳＣｎに、電圧Ｖｒまで緩やかに上昇する上り傾斜波形電圧を一旦印加する。この電圧Ｖｒは電圧Ｖｓよりも低い電圧（例えば、電圧Ｖｒ＝電圧Ｖｓ−１５（Ｖ））である。
【０３５８】
上り傾斜波形電圧が電圧Ｖｒに到達した後、ミラー積分回路６２の動作を停止し、走査電極ＳＣ１〜走査電極ＳＣｎに印加する電圧を電圧０（Ｖ）に戻す。
【０３５９】
その後、スイッチング素子Ｑ７１Ｌ１〜スイッチング素子Ｑ７１Ｌｎをオフにし、スイッチング素子Ｑ７１Ｈ１〜スイッチング素子Ｑ７１Ｈｎをオンにして、基準電位Ａに電圧Ｖｐを重畳し、その状態でミラー積分回路６２を再度動作させる。これにより、ミラー積分回路６２が発生する上り傾斜波形電圧に電圧Ｖｐを重畳した波形電圧を発生することができる。したがって、電圧Ｖｒよりもさらに高い電圧まで上昇する上り傾斜波形電圧を、走査電極ＳＣ１〜走査電極ＳＣｎに印加することが可能となる。
【０３６０】
そして、走査電極ＳＣ１〜走査電極ＳＣｎに印加する電圧が電圧Ｖｒ２まで上昇したら、ミラー積分回路６２の動作を停止し、スイッチング素子Ｑ７１Ｌ１〜スイッチング素子Ｑ７１Ｌｎをオンにし、スイッチング素子Ｑ７１Ｈ１〜スイッチング素子Ｑ７１Ｈｎをオフにして、基準電位Ａを走査電極ＳＣ１〜走査電極ＳＣｎに印加する。かつ、スイッチング素子Ｑ５６をオンにして基準電位Ａを電圧０（Ｖ）にして、走査電極ＳＣ１〜走査電極ＳＣｎに印加する電圧を電圧０（Ｖ）に戻す。
【０３６１】
こうすることで、電圧０（Ｖ）から電圧Ｖｒ（例えば、約２００（Ｖ））まで上昇する上り傾斜波形電圧と、電圧Ｖｐ（例えば、約１５０（Ｖ））から電圧Ｖｒ２（例えば、約２５５（Ｖ））まで上昇する上り傾斜波形電圧との２つのピークをもつ波形を発生し、走査電極ＳＣ１〜走査電極ＳＣｎに印加することができる。例えば、このような波形で、上り消去ランプ電圧Ｌ７を代替することも可能である。
【０３６２】
なお、本実施の形態では、下り傾斜波形電圧（下りランプ電圧Ｌ４、下りランプ電圧Ｌ６、下り消去ランプ電圧Ｌ８）を全て同じ勾配で発生する構成を説明したが、例えば、下り傾斜波形電圧を複数の期間に分け、各期間で勾配を変えて下り傾斜波形電圧を発生する構成としてもよい。
【０３６３】
図２１は、本発明の実施の形態における走査電極２２に印加する下り傾斜波形電圧の波形形状の他の例を示す波形図である。
【０３６４】
例えば、図２１に示すように、初期化放電が発生するまでは比較的急峻な勾配（例えば、−８Ｖ／μｓｅｃ）で下降し、その後、やや緩やかな勾配（例えば、−２．５Ｖ／μｓｅｃ）で下降し、最後に、さらに緩やかな勾配（例えば、−１Ｖ／μｓｅｃ）で下降して、下り傾斜波形電圧を発生する構成としてもよい。このような構成であっても、上述と同様の効果が得られることが確認された。また、この構成では、下り傾斜波形電圧を発生する期間を短縮できるという効果も得られる。
【０３６５】
あるいは、図示はしないが、下り傾斜波形電圧を２つの期間に分け、各期間で勾配を変えて下り傾斜波形電圧を発生する構成としてもよい。
【０３６６】
なお、本実施の形態では、図４に第２の駆動電圧波形を発生する対象となる第２テーブルを示したが、本発明は第２テーブルが何ら図４に示したテーブルに限定されるものではない。
【０３６７】
図２２は、本発明の実施の形態における第２のコーディングテーブルの他の例を示す図である。
【０３６８】
図２２では、テーブルの左端の列に、放電セルに表示する階調の大きさを数値で表し、数値が記載されたそれぞれの行には、その輝度値を放電セルに表示する際の各サブフィールドの発光、非発光の組合せを示す。なお、図２２に示す各コーディングテーブルにおいて、空欄は非発光を表し、「○」は発光を表す。
【０３６９】
図２２には、１フィールドを５つのサブフィールド（サブフィールドＳＦ１、サブフィールドＳＦ２、サブフィールドＳＦ３、サブフィールドＳＦ４、サブフィールドＳＦ５）で構成し、サブフィールドＳＦ１からサブフィールドＳＦ５の各サブフィールドがそれぞれ（１、１６、８、４、２）の輝度重みを有するときのテーブルを示す。そして、図２２に示すテーブルは、図３に示した第１テーブルと、サブフィールドの数、１フィールド内に設ける輝度重みの大きさ、表示する階調の数は同じである。
【０３７０】
ただし、各サブフィールドに割り当てる輝度重みの大きさ（輝度重みの並び順）が異なり、図２２に示すテーブルは、サブフィールドＳＦ１からサブフィールドＳＦ５の各サブフィールドにそれぞれ、（１、２、４、８、１６）の輝度重みを割り当てている。
【０３７１】
その結果、図２２に示すテーブルでは、図３に示した第１テーブルとは異なり、図２２に矢印で示すように、サブフィールドＳＦ２とサブフィールドＳＦ３とが連続して非点灯となる輝度値（輝度値「３」、輝度値「５」、輝度値「７」）が発生する。したがって、図２２に示すテーブルも、第２の駆動電圧波形を発生する対象となる第２テーブルとなる。
【０３７２】
このように、本発明における実施の形態では、一度サブフィールドが点灯した後に、連続した２つ以上の非点灯のサブフィールドが発生し、その後のサブフィールドで再度点灯する放電セルが発生する可能性があるとき、すなわち、そのような点灯・非点灯の組合せを有するコーディングがテーブル内に存在するときは、そのテーブルを第２テーブルとし、第２テーブルを用いてパネル１０に画像を表示するときには、第２の駆動電圧波形を発生してパネル１０の各電極に印加し、パネル１０を駆動するものとする。
【０３７３】
また、本実施の形態では、サブフィールドＳＦ２とサブフィールドＳＦ３とが連続して非点灯となるコーディングを有する第２テーブルの例を説明し、第２の駆動電圧波形を発生するときに、サブフィールドＳＦ２を特定サブフィールドとする例を説明した。しかし、本発明は、何ら特定サブフィールドがサブフィールドＳＦ２に限定されるものではない。
【０３７４】
例えば、サブフィールドＳＦ３とサブフィールドＳＦ４とが連続して非点灯となる可能性がある場合には、特定サブフィールドはＳＦ３となる。あるいは、サブフィールドＳＦ１が点灯し、サブフィールドＳＦ２とサブフィールドＳＦ３とで連続して非点灯となり、サブフィールドＳＦ４が点灯するコーディングと、サブフィールドＳＦ２が点灯し、サブフィールドＳＦ３とサブフィールドＳＦ４とが連続して非点灯となり、サブフィールドＳＦ５が点灯するコーディングとが含まれたテーブルを用いて画像をパネルに表示する場合には、特定サブフィールドはサブフィールドＳＦ２とサブフィールドＳＦ３になる。
【０３７５】
このように、本発明の実施の形態において、特定サブフィールドは、テーブルを構成するコーディングによって変化する。そして、「特定のサブフィールド」の数は１つに限定されない。
【０３７６】
なお、本実施の形態では、全てのサブフィールドで全セル初期化動作および選択初期化動作のいずれかを行う構成を説明した。しかし、例えば、パネル上の全ての放電セルに対して全セル初期化動作を一度も行わないフィールドを発生しながらパネルを駆動する構成であってもよい。そして、そのような場合であっても本実施の形態に示した構成を適用することは可能である。
【０３７７】
なお、本発明は１フィールドを構成するサブフィールドの数、強制初期化サブフィールドとするサブフィールド、各サブフィールドが有する輝度重み等が上述した数値に限定されるものではない。また、画像信号等にもとづいてサブフィールド構成を切換える構成であってもよい。
【０３７８】
なお、図５、図６、図１２、図１３、図１５、図１６、図１７、図１８、図１９に示した駆動電圧波形は本発明の実施の形態における一例を示したものに過ぎず、本発明は何らこの駆動電圧波形に限定されるものではない。
【０３７９】
なお、図８、図９、図１０、図１１に示した駆動回路の構成は本発明の実施の形態における一例を示したものに過ぎず、本発明は何らこれらの回路構成に限定されるものではない。
【０３８０】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０３８１】
なお、本発明における実施の形態では、１つのフィールドを５のサブフィールドで構成する例を説明した。しかし、本発明は１フィールドを構成するサブフィールドの数が何ら上記の数に限定されるものではない。例えば、サブフィールドの数をより多くすることで、パネル１０に表示できる階調の数をさらに増加することができる。あるいは、サブフィールドの数をより少なくすることで、パネル１０の駆動に要する時間を短縮することができる。
【０３８２】
なお、本発明における実施の形態では、１画素を赤、緑、青の３色の放電セルで構成する例を説明したが、１画素を４色あるいはそれ以上の色の放電セルで構成するパネルにおいても、本発明における実施の形態に示した構成を適用することは可能であり、同様の効果を得ることができる。
【０３８３】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの仕様やパネルの特性、およびプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切換える構成であってもよい。
【産業上の利用可能性】
【０３８４】
本発明は、高精細度化された大画面のパネルを駆動する際にも安定した書込み動作を行うことができ、品質の高い画像をパネルに表示することが可能であり、パネルの駆動方法およびプラズマディスプレイ装置として有用である。
【符号の説明】
【０３８５】
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４０    プラズマディスプレイ装置
４１    画像信号処理回路
４２    データ電極駆動回路
４３    走査電極駆動回路
４４    維持電極駆動回路
４５    タイミング発生回路
５０，８０    維持パルス発生回路
５１，８１    電力回収回路
６０    傾斜波形電圧発生回路
６１，６２，６３    ミラー積分回路
７０    走査パルス発生回路
８５    一定電圧発生回路
Ｄｉ１１，Ｄｉ１２，Ｄｉ２１，Ｄｉ２２，Ｄｉ６２    ダイオード
Ｌ１１，Ｌ１２，Ｌ２１，Ｌ２２    インダクタ
Ｑ５，Ｑ６，Ｑ１１，Ｑ１２，Ｑ２１，Ｑ２２，Ｑ５５，Ｑ５６，Ｑ５９，Ｑ６９，Ｑ７２，Ｑ８３，Ｑ８４，Ｑ８６，Ｑ８７，Ｑ７１Ｈ１〜Ｑ７１Ｈｎ，Ｑ７１Ｌ１〜Ｑ７１Ｌｎ，Ｑ９１Ｈ１〜Ｑ９１Ｈｍ，Ｑ９１Ｌ１〜Ｑ９１Ｌｍ    スイッチング素子
Ｃ１０，Ｃ２０，Ｃ６１，Ｃ６２，Ｃ６３    コンデンサ
Ｒ６１，Ｒ６２，Ｒ６３，Ｒ９，Ｒ１２，Ｒ１３    抵抗
Ｑ６１，Ｑ６２，Ｑ６３    トランジスタ
ＩＮ６１，ＩＮ６２，ＩＮ６３    入力端子
Ｅ７１    電源
Ｌ１，Ｌ５    上りランプ電圧
Ｌ２，Ｌ４，Ｌ６    下りランプ電圧
Ｌ３，Ｌ７    上り消去ランプ電圧
Ｌ８    下り消去ランプ電圧
【図１】
2012102031.tif 000003
【図２】
2012102031.tif 000004
【図３】
2012102031.tif 000005
【図４】
2012102031.tif 000006
【図５】
2012102031.tif 000007
【図６】
2012102031.tif 000008
【図７】
2012102031.tif 000009
【図８】
2012102031.tif 000010
【図９】
2012102031.tif 000011
【図１０】
2012102031.tif 000012
【図１１】
2012102031.tif 000013
【図１２】
2012102031.tif 000014
【図１３】
2012102031.tif 000015
【図１４】
2012102031.tif 000016
【図１５】
2012102031.tif 000017
【図１６】
2012102031.tif 000018
【図１７】
2012102031.tif 000019
【図１８】
2012102031.tif 000020
【図１９】
2012102031.tif 000021
【図２０】
2012102031.tif 000022
【図２１】
2012102031.tif 000023
【図２２】
2012102031.tif 000024
【国際調査報告】
2012102031.tif 000025
2012102031.tif 000026
2012102031.tif 000027
2012102031.tif 000028